(57)【要約】【課題】直感的な操作でより容易に所望の人物にコンタクトすることを可能にすることを可能にする。【解決手段】実空間の撮像画像を含む表示画面においてユーザにより指定される上記撮像画像内の位置を取得する取得部と、取得される上記位置に基づいて、上記撮像画像のいずれかの位置にそれぞれ対応する複数のオブジェクトの中から、１つ以上のオブジェクトを選択する選択部と、上記複数のオブジェクトの中から２つ以上のオブジェクトが選択される場合に、上記表示画面を表示する表示装置に、上記２つ以上のオブジェクトの各々に関する情報を表示させる表示制御部と、を備える情報処理装置が提供される。上記選択部は、上記２つ以上のオブジェクトの中から、ユーザにより指定される１つのオブジェクトを選択する。上記１つのオブジェクトが選択されると、当該１つのオブジェクトに対応する通信用の識別情報が取得される。【選択図】図１２
2014204412.tif 000002
【特許請求の範囲】
【請求項１】
実空間の撮像画像を含む表示画面においてユーザにより指定される前記撮像画像内の位置を取得する取得部と、
取得される前記位置に基づいて、前記撮像画像のいずれかの位置にそれぞれ対応する複数のオブジェクトの中から、１つ以上のオブジェクトを選択する選択部と、
前記複数のオブジェクトの中から２つ以上のオブジェクトが選択される場合に、前記表示画面を表示する表示装置に、前記２つ以上のオブジェクトの各々に関する情報を表示させる表示制御部と、
を備え、
前記選択部は、前記２つ以上のオブジェクトの中から、ユーザにより指定される１つのオブジェクトを選択し、
前記１つのオブジェクトが選択されると、当該１つのオブジェクトに対応する通信用の識別情報が取得される、
情報処理装置。
【請求項２】
前記２つ以上のオブジェクトは、第１のオブジェクト及び第２のオブジェクトを含み、
前記２つ以上のオブジェクトの各々に関する前記情報は、前記第１のオブジェクトが対応する前記撮像画像内の位置を含む前記撮像画像内の第１の部分領域の画像、及び、前記第２のオブジェクトが対応する前記撮像画像内の位置を含む前記撮像画像内の第２の部分領域の画像を含む、
請求項１に記載の情報処理装置。
【請求項３】
前記表示制御部は、前記表示装置に、前記第１の部分領域の前記画像及び前記第２の部分領域の前記画像を並列に表示させる、請求項２に記載の情報処理装置。
【請求項４】
前記第１の部分領域の前記画像は、前記第１の部分領域が拡大された拡大画像であり、
前記第２の部分領域の前記画像は、前記第２の部分領域が拡大された拡大画像である、
請求項２又は３に記載の情報処理装置。
【請求項５】
前記第１の部分領域の前記画像は、前記第１の部分領域が第１の拡大率で拡大された拡大画像であり、
前記第２の部分領域の前記画像は、前記第２の部分領域が第２の拡大率で拡大された拡大画像である、
請求項４に記載の情報処理装置。
【請求項６】
前記表示制御部は、前記表示装置に、前記第１の部分領域の前記画像と当該画像以外の領域との間の境界を示す第１の境界標識と、前記第２の部分領域の前記画像と当該画像以外の領域との間の境界を示す第２の境界標識とを表示させる、請求項２〜５のいずれか１項に記載の情報処理装置。
【請求項７】
前記第１の境界標識は、前記第１のオブジェクトに関する情報を含み、
前記第２の境界標識は、前記第２のオブジェクトに関する情報を含む、
請求項６に記載の情報処理装置。
【請求項８】
前記第１のオブジェクトに関する前記情報は、前記第１のオブジェクトを識別するための第１の識別情報を含み、
前記第２のオブジェクトに関する前記情報は、前記第２のオブジェクトを識別するための第２の識別情報を含む、
請求項７に記載の情報処理装置。
【請求項９】
前記２つ以上のオブジェクトの各々に関する前記情報は、前記２つ以上のオブジェクトの各々を識別するための識別情報を含む、請求項１〜８のいずれか１項に記載の情報処理装置。
【請求項１０】
前記表示制御部は、前記表示装置に、前記２つ以上のオブジェクトの中から１つのオブジェクトをユーザにより指定させるための標識を表示させる、請求項１〜９のいずれか１項に記載の情報処理装置。
【請求項１１】
前記１つ以上のオブジェクトは、前記複数のオブジェクトのうちの、取得される前記位置に対応する領域内にある位置に対応するオブジェクトである、請求項１〜１０のいずれか１項に記載の情報処理装置。
【請求項１２】
前記取得部は、前記表示画面においてユーザにより指定される前記撮像画像内の１つの位置を取得し、
前記１つ以上のオブジェクトは、前記複数のオブジェクトのうちの、取得される前記１つの位置を含む所定の形状の領域内にある位置に対応するオブジェクトである、
請求項１１に記載の情報処理装置。
【請求項１３】
前記取得部は、前記表示画面においてユーザにより指定される前記撮像画像内の２つ以上の位置を取得し、
前記１つ以上のオブジェクトは、前記複数のオブジェクトのうちの、取得される前記２つ以上の位置に基づき形成される領域内にある位置に対応するオブジェクトである、
請求項１１に記載の情報処理装置。
【請求項１４】
前記選択部は、前記複数のオブジェクトが対応するいずれの位置も、取得される前記位置に対応する前記領域内にない場合には、いずれのオブジェクトも選択せず、
前記表示制御部は、いずれのオブジェクトも選択されない場合に、前記表示装置に、前記撮像画像内の位置をユーザに指定させるための標識を前記表示画面に表示させる、
請求項１１〜１３のいずれか１項に記載の情報処理装置。
【請求項１５】
前記通信用の識別情報は、専用網における通信のための識別情報である、請求項１〜１４のいずれか１項に記載の情報処理装。
【請求項１６】
前記通信用の識別情報は、公衆網を介して通信するための識別情報である、請求項１〜１４のいずれか１項に記載の情報処理装。
【請求項１７】
前記公衆網は、移動体通信網を含む、請求項１６に記載の情報処理装置。
【請求項１８】
前記表示装置は、タッチパネルの表示面であり、
前記撮像画像内の前記位置は、タッチパネルにおけるユーザのタッチにより指定される、
請求項１〜１７のいずれか１項に記載の情報処理装。
【請求項１９】
コンピュータを、
実空間の撮像画像を含む表示画面においてユーザにより指定される前記撮像画像内の位置を取得する取得部と、
取得される前記位置に基づいて、前記撮像画像のいずれかの位置にそれぞれ対応する複数のオブジェクトの中から、１つ以上のオブジェクトを選択する選択部と、
前記複数のオブジェクトの中から２つ以上のオブジェクトが選択される場合に、前記表示画面を表示する表示装置に、前記２つ以上のオブジェクトの各々に関する情報を表示させる表示制御部と、
として機能させ、
前記選択部は、前記２つ以上のオブジェクトの中から、ユーザにより指定される１つのオブジェクトを選択し、
前記１つのオブジェクトが選択されると、当該１つのオブジェクトに対応する通信用の識別情報が取得される、
プログラム。
【発明の詳細な説明】
【技術分野】
【０００１】
本発明は、情報処理装置及びプログラムに関する。
【背景技術】
【０００２】
近年、従来のようにハードウェアで実装される電話機に代わって、アプリケーションソフトウェアで実装されるソフトフォンが普及してきている。ソフトフォンはソフトウェアで実装されるため、ソフトフォンへの機能追加、ソフトフォンと他のアプリケーションソフトウェアとの連携等を比較的容易に実現することができる。そのため、ソフトフォンに関する様々な応用技術が提案されている。
【０００３】
例えば、特許文献１には、カメラから得られた撮像画像の表示画面において当該撮像画像に写っている人物の顔をタッチすると、顔認識により当該人物の顔を特定し、当該人物の電話番号を取得し、当該人物への電話発信を行う技術が、開示されている。
【先行技術文献】
【特許文献】
【０００４】
【特許文献１】特開２００７−２０８８６３号公報
【発明の概要】
【発明が解決しようとする課題】
【０００５】
しかし、上記特許文献１に開示されている技術では、表示画面において人物の顔の位置にタッチしなければ、当該人物への電話発信を行うことができない。そのため、例えば、表示画面自体が小さい場合、表示画面に写っている人物が小さい場合等には、当該人物の顔の位置へのタッチが困難であり、当該人物への電話発信を行うことが困難になり得る。また、タッチの精度を緩和するために、例えば、撮像画像に写っている顔のうちの、タッチ位置に最も近い顔を、顔認識により特定すると、例えば所望の人物と別の人物とが近くにいる場合に、当該別の人物の顔が特定されてしまう可能性もある。
【０００６】
そこで、直感的な操作でより容易に所望の人物にコンタクトすることを可能にすることを可能にする仕組みが提供されることが望ましい。
【課題を解決するための手段】
【０００７】
本発明によれば、実空間の撮像画像を含む表示画面においてユーザにより指定される上記撮像画像内の位置を取得する取得部と、取得される上記位置に基づいて、上記撮像画像のいずれかの位置にそれぞれ対応する複数のオブジェクトの中から、１つ以上のオブジェクトを選択する選択部と、上記複数のオブジェクトの中から２つ以上のオブジェクトが選択される場合に、上記表示画面を表示する表示装置に、上記２つ以上のオブジェクトの各々に関する情報を表示させる表示制御部と、を備える情報処理装置が提供される。上記選択部は、上記２つ以上のオブジェクトの中から、ユーザにより指定される１つのオブジェクトを選択する。上記１つのオブジェクトが選択されると、当該１つのオブジェクトに対応する通信用の識別情報が取得される。
【０００８】
また、上記２つ以上のオブジェクトは、第１のオブジェクト及び第２のオブジェクトを含み、上記２つ以上のオブジェクトの各々に関する上記情報は、上記第１のオブジェクトが対応する上記撮像画像内の位置を含む上記撮像画像内の第１の部分領域の画像、及び、上記第２のオブジェクトが対応する上記撮像画像内の位置を含む上記撮像画像内の第２の部分領域の画像を含んでもよい。
【０００９】
また、上記表示制御部は、上記表示装置に、上記第１の部分領域の上記画像及び上記第２の部分領域の上記画像を並列に表示させてもよい。
【００１０】
また、上記第１の部分領域の上記画像は、上記第１の部分領域が拡大された拡大画像であり、上記第２の部分領域の上記画像は、上記第２の部分領域が拡大された拡大画像であってもよい。
【００１１】
また、上記第１の部分領域の上記画像は、上記第１の部分領域が第１の拡大率で拡大された拡大画像であり、上記第２の部分領域の上記画像は、上記第２の部分領域が第２の拡大率で拡大された拡大画像であってもよい。
【００１２】
また、上記表示制御部は、上記表示装置に、上記第１の部分領域の上記画像と当該画像以外の領域との間の境界を示す第１の境界標識と、上記第２の部分領域の上記画像と当該画像以外の領域との間の境界を示す第２の境界標識とを表示させてもよい。
【００１３】
また、上記第１の境界標識は、上記第１のオブジェクトに関する情報を含み、上記第２の境界標識は、上記第２のオブジェクトに関する情報を含んでもよい。
【００１４】
また、上記第１のオブジェクトに関する上記情報は、上記第１のオブジェクトを識別するための第１の識別情報を含み、上記第２のオブジェクトに関する上記情報は、上記第２のオブジェクトを識別するための第２の識別情報を含んでもよい。
【００１５】
また、上記２つ以上のオブジェクトの各々に関する上記情報は、上記２つ以上のオブジェクトの各々を識別するための識別情報を含んでもよい。
【００１６】
また、上記表示制御部は、上記表示装置に、上記２つ以上のオブジェクトの中から１つのオブジェクトをユーザにより指定させるための標識を表示させてもよい。
【００１７】
また、上記１つ以上のオブジェクトは、上記複数のオブジェクトのうちの、取得される上記位置に対応する領域内にある位置に対応するオブジェクトであってもよい。
【００１８】
また、上記取得部は、上記表示画面においてユーザにより指定される上記撮像画像内の１つの位置を取得し、上記１つ以上のオブジェクトは、上記複数のオブジェクトのうちの、取得される上記１つの位置を含む所定の形状の領域内にある位置に対応するオブジェクトであってもよい。
【００１９】
また、上記取得部は、上記表示画面においてユーザにより指定される上記撮像画像内の２つ以上の位置を取得し、上記１つ以上のオブジェクトは、上記複数のオブジェクトのうちの、取得される上記２つ以上の位置に基づき形成される領域内にある位置に対応するオブジェクトであってもよい。
【００２０】
また、上記選択部は、上記複数のオブジェクトが対応するいずれの位置も、取得される上記位置に対応する上記領域内にない場合には、いずれのオブジェクトも選択せず、上記表示制御部は、いずれのオブジェクトも選択されない場合に、上記表示装置に、上記撮像画像内の位置をユーザに指定させるための標識を上記表示画面に表示させてもよい。
【００２１】
また、上記通信用の識別情報は、専用網における通信のための識別情報であってもよい。
【００２２】
また、上記通信用の識別情報は、公衆網を介して通信するための識別情報であってもよい。
【００２３】
また、上記公衆網は、移動体通信網を含んでもよい。
【００２４】
また、上記表示装置は、タッチパネルの表示面であり、上記撮像画像内の上記位置は、タッチパネルにおけるユーザのタッチにより指定されてもよい。
【００２５】
また、本発明によれば、コンピュータを、実空間の撮像画像を含む表示画面においてユーザにより指定される上記撮像画像内の位置を取得する取得部と、取得される上記位置に基づいて、上記撮像画像のいずれかの位置にそれぞれ対応する複数のオブジェクトの中から、１つ以上のオブジェクトを選択する選択部と、上記複数のオブジェクトの中から２つ以上のオブジェクトが選択される場合に、上記表示画面を表示する表示装置に、上記２つ以上のオブジェクトの各々に関する情報を表示させる表示制御部と、として機能させるためのプログラムが提供される。上記選択部は、上記２つ以上のオブジェクトの中から、ユーザにより指定される１つのオブジェクトを選択する。上記１つのオブジェクトが選択されると、当該１つのオブジェクトに対応する通信用の識別情報が取得される。
【発明の効果】
【００２６】
以上説明したように本発明によれば、直感的な操作でより容易に所望の人物にコンタクトすることを可能にすることが可能となる。
【図面の簡単な説明】
【００２７】
【図１】一実施形態に係る情報処理システムの概略的な構成の一例を示す説明図である。
【図２】一実施形態に係る端末装置の具体例を説明するための説明図である。
【図３】一実施形態に係る端末装置のハードウェア構成の一例を示すブロック図である。
【図４】一実施形態に係る端末装置の機能構成の一例を示すブロック図である。
【図５】表示画面に含まれる撮像画像内の位置の取得の例を説明するための説明図である。
【図６】複数のオブジェクト（人物）がそれぞれ対応する位置の例を説明するための説明図である。
【図７】いずれかのオブジェクトが対応する位置とユーザにより指定される位置とが合致する場合に選択されるオブジェクトの例を説明するための説明図である。
【図８】オブジェクトを選択するための領域の例を説明するための説明図である。
【図９】いずれかのオブジェクトが対応するどの位置にもユーザにより指定される位置が合致しない場合に選択されるオブジェクトの例を説明するための説明図である。
【図１０】ユーザにより撮像画像内の位置が指定されてもいずれのオブジェクトも選択されないケースの一例を説明するための説明図である。
【図１１】１つのオブジェクトが選択される場合に表示される表示画面の一例を説明するための説明図である。
【図１２】２つ以上のオブジェクトが選択される場合に表示される表示画面の一例を説明するための説明図である。
【図１３】第１の部分領域の画像及び第２の部分領域の画像を含む表示画面の生成プロセスの一例を説明するための第１の説明図である。
【図１４Ａ】第１の部分領域の画像及び第２の部分領域の画像を含む表示画面の生成プロセスの一例を説明するための第２の説明図である。
【図１４Ｂ】第１の部分領域の画像及び第２の部分領域の画像を含む表示画面の生成プロセスの一例を説明するための第３の説明図である。
【図１５】第１の部分領域の画像及び第２の部分領域の画像を含む表示画面の生成プロセスの一例を説明するための第４の説明図である。
【図１６】オブジェクト指定促進標識の一例を説明するための説明図である。
【図１７】位置指定促進標識の一例を説明するための説明図である。
【図１８】通話用の表示画面の一例を説明するための説明図である。
【図１９】一実施形態に係る端末装置のソフトウェア構成の一例を示すブロック図である。
【図２０】メニュー画面の例を説明するための説明図である。
【図２１】画面に表示されるソフトフォンのユーザインターフェースの例である。
【図２２】超臨場感クライアントの表示画面の例を説明するための説明図である。
【図２３】電話帳の表示画面の例を説明するための説明図である。
【図２４】代表カメラの例を説明するための説明図である。
【図２５】プレゼンス情報を含む電話帳の表示画面の例を説明するための説明図である。
【図２６】一実施形態に係る端末装置における情報処理の一例を説明するための説明図である。
【図２７】プレゼンス情報に従った撮像画像の提供及び取得のための情報処理の一例を説明するための説明図である。
【図２８】第１の変形例に従った、表示画面に含まれる撮像画像内の位置の取得の例を説明するための説明図である。
【図２９】２つ以上のオブジェクトが選択される場合に第３の変形例に従って表示される表示画面の第１の例を説明するための説明図である。
【図３０】２つ以上のオブジェクトが選択される場合に第３の変形例に従って表示される表示画面の第２の例を説明するための説明図である。
【図３１】境界標識に含まれるオブジェクトに関する情報の例を説明するための説明図である。
【図３２】２つ以上のオブジェクトが選択される場合に第４の変形例に従って表示される表示画面の一例を説明するための説明図である。
【発明を実施するための形態】
【００２８】
以下に添付の図面を参照しながら、本発明の好適な実施の形態について詳細に説明する。なお、本明細書及び図面において、実質的に同一の機能構成を有する構成要素については、同一の符号を付することにより重複説明を省略する。
【００２９】
以降、＜＜１．情報処理システムの概略的な構成＞＞、＜＜２．端末装置の構成＞＞、＜＜３．処理の流れ＞＞、＜＜４．変形例＞＞という順序で本発明の実施形態を説明する。
【００３０】
＜＜１．情報処理システムの概略的な構成＞＞
まず、図１を参照して、本発明の実施形態に係る情報処理システムの概略的な構成を説明する。図１は、本実施形態に係る情報処理システムの概略的な構成の一例を示す説明図である。図１を参照すると、情報処理システムは、例えば、複数の拠点にわたって存在する。この例では、情報処理システムは、センタオフィス１０とサテライトオフィス２０（又はホームオフィス２０）にわたって存在する。センタオフィス１０は、比較的大規模なオフィスであり、サテライトオフィス２０（又はホームオフィス２０）は、比較的小規模なオフィスである。
【００３１】
情報処理システムは、センタオフィス１０において、カメラ１１、マイクロフォン１３、センサ１５、メディア配信サーバ１７、情報管理サーバ１８、及びＬＡＮ（Local  Area  Network）１９を含む。また、情報処理システムは、サテライトオフィス２０（又はホームオフィス２０）において、端末装置１００、ディスプレイ２１、及びＬＡＮ２３を含む。また、情報処理システムは、さらにＰＢＸ（Private  Branch  eXchange）４０を含む。
【００３２】
（カメラ１１）
カメラ１１は、当該カメラ１１が向いている方向（即ち、撮像方向）にある被写体を撮像する。センタオフィス１０には、複数のカメラ１１が設置される。そして、設置された各カメラ１１は、それぞれの設置位置からセンタオフィスの一部又は全体を撮像する。このように、情報処理システムでは、様々な位置からセンタオフィスが撮像される。カメラ１１を通じて生成される撮像画像は、静止画像であってもよく、又は動画像（即ち映像）であってもよい。
【００３３】
また、カメラ１１は、例えば、自動で向きを変えることができる。さらに、カメラ１１は、例えば、ズーム機能を有する。当該ズーム機能は、光学ズーム機能であってもよく、又はデジタルズーム機能であってもよい。
【００３４】
また、カメラ１１は、位置を変えることが可能であってもよい。一例として、カメラ１１は、ドリーにより可動であってもよい。即ち、カメラ１１は、レールに沿って可動であってもよい。この場合に、レールに沿って動くためのモータの制御により、カメラ１１が前後に動いてもよい。これにより、１台のカメラ  １１であっても、異なる位置から被写体が撮像された撮像画像を生成することが可能になる。
【００３５】
また、カメラ１１が位置を変えることが可能である場合に、上記ズーム機能は、カメラ１１の位置を変えることによるズーム機能であってもよい。一例として、上記ズーム機能は、ドリーによるズーム機能であってもよい。例えば、被写体に向かってカメラ１１を動かすことによりズームインを行い、カメラ１１が被写体から離れる方向にカメラ１１を動かすことによりズームアウトを行ってもよい。なお、ドリーによるズームは、光学ズーム又はデジタルズームのように、精緻なズームである必要はない。例えば、ズームインでは、被写体がより大きく写った撮像画像が生成されればよく、ズームアウトでは、被写体がより小さく写った撮像画像が生成されればよい。
【００３６】
（マイクロフォン１３）
マイクロフォン１３は、当該マイクロフォン１３の周囲の音を集音する。センタオフィス１０には、複数のマイクロフォン１３が設置される。そして、設置された各マイクロフォン１３は、センタオフィス内のそれぞれの設置位置の周囲の音を集音する。このように、情報処理システムでは、センタオフィス１０内の様々な位置での音が集音される。
【００３７】
（センサ１５）
センサ１５は、様々な種類のセンサを含み得る。例えば、センサ１５は、人物が座席にいるか否かを判定する座席センサを含む。当該座席センサは、各座席に設置され、各座席に人物が座っているか否かを判定する。座席センサは、例えば、押圧を検出可能ないずれかのセンサである。
【００３８】
（メディア配信サーバ１７）
メディア配信サーバ１７は、要求に応じて端末装置１００にメディア（例えば、音声、撮像画像、等）を配信する。例えば、メディア配信サーバ１７は、カメラ１１から撮像画像を取得し、マイクロフォン１３から音声を取得し、これらのメディアを端末装置１００に配信する。
【００３９】
（情報管理サーバ１８）
情報管理サーバ１８は、情報処理システムにおいて用いられる様々な情報を管理する。即ち、情報管理サーバ１８は、当該様々な情報を記憶し、適時に当該様々な情報を更新する。
【００４０】
例えば、情報管理サーバ１８は、カメラ１１、マイクロフォン１３及びセンサ１５に関するパラメータを管理する。具体的には、例えば、情報管理サーバ１８は、カメラ１１のパラメータとして、カメラ１１の設置位置、撮像方向（例えば、カメラのレンズと垂直な方向）、ズーム率等の情報を記憶し、更新する。
【００４１】
（ＬＡＮ１９）
また、ＬＡＮ１９は、センタオフィス１０内の各装置を接続するネットワークである。また、ＬＡＮ１９は、外部ネットワーク３０を介して、センタオフィス１０内の各装置とセンタオフィス１０外の装置とを接続する。当該外部ネットワーク３０は、例えば、インターネットを含む。
【００４２】
（端末装置１００）
端末装置１００は、ユーザにより使用される。例えば、端末装置１００は、電話、メール等のコミュニケーションを行うための機能をユーザに提供する。また、端末装置１００は、様々な種類の装置として実装され得る。以下、この点について図２を参照して具体例を説明する。
【００４３】
図２は、本実施形態に係る端末装置の具体例を説明するための説明図である。図２を参照すると、一例として、端末装置１００Ａは、タブレット端末である。また、別の例として、端末装置１００Ｂは、スマートフォンである。また、さらに別の例として、端末装置１００Ｃは、ディスプレイ付き電話機である。例えば、当該電話機には、ソフトフォンが備えられる。なお、端末装置１００の具体例はこれらの例に限られない。一例として、端末装置１００は、ＰＣ（Personal  Computer）であってもよい。
【００４４】
（ディスプレイ２１）
ディスプレイ２１は、いずれかの画面を表示する。例えば、ディスプレイ２１は、カメラ１１を通じて生成された撮像画像を含む画面を表示する。これにより、端末装置１００のユーザを含む多数の人物が、ディスプレイ２１を介してセンタオフィス１０の様子を見ることができる。
【００４５】
また、ディスプレイ２１は、例えば、いずれかの音声も出力する。例えば、ディスプレイ２１は、マイクロフォン１３により集音される音声を出力する。これにより、端末装置１００のユーザを含む多数の人物が、ディスプレイ２１を介してセンタオフィス１０の音を聞くことができる。
【００４６】
（ＬＡＮ２３）
また、ＬＡＮ２３は、サテライトオフィス２０（又はホームオフィス２０）内の各装置を接続するネットワークである。また、ＬＡＮ２３は、外部ネットワーク３０を介して、サテライトオフィス２０内の各装置とサテライトオフィス２０外の装置とを接続する。
【００４７】
（ＰＢＸ４０）
ＰＢＸ４０は、外部ネットワーク３０を介した装置間の通信を可能にする。ＰＢＸ４０は、例えば、Ｈ．３２３又はＳＩＰ（Session  Initiation  Protocol）に従って動作する。
【００４８】
具体的には、例えば、ＰＢＸ４０は、通信用の識別情報（例えば、電話番号）とＩＰ（Internet  Protocol）アドレスとを、互いに対応付けて記憶する。そして、ＰＢＸ４０は、要求に応じて、通信用の識別情報をＩＰアドレスに変換し、当該ＩＰアドレスを要求元に提供する。
【００４９】
なお、ＰＢＸ４０は、ＬＡＮ１９又はＬＡＮ２３に接続されてもよい。
【００５０】
＜＜２．端末装置の構成＞＞
続いて、図３〜図２５を参照して、本実施形態に係る端末装置１００の構成の一例を説明する。
【００５１】
＜２．１．ハードウェア構成＞
まず、図３を参照して、本実施形態に係る端末装置１００のハードウェア構成の一例を説明する。図３は、本実施形態に係る端末装置１００のハードウェア構成の一例を示すブロック図である。図３を参照すると、端末装置１００は、ＣＰＵ（Central  Processing  Unit）８０１、ＲＯＭ（Read  Only  Memory）８０３、ＲＡＭ（Random  Access  Memory）８０５、バス８０７、記憶装置８０９、通信インターフェース８１１、カメラ８１３、マイクロフォン８１５、スピーカ８１７及びタッチパネル８２０を備える。
【００５２】
ＣＰＵ８０１は、端末装置１００における様々な処理を実行する。また、ＲＯＭ８０３は、端末装置１００における処理をＣＰＵ８０１に実行させるためのプログラム及びデータを記憶する。また、ＲＡＭ８０５は、ＣＰＵ８０１の処理の実行時に、プログラム及びデータを一時的に記憶する。
【００５３】
バス８０７は、ＣＰＵ８０１、ＲＯＭ８０３及びＲＡＭを相互に接続する。バス８０７には、さらに、記憶装置８０９、通信インターフェース８１１、カメラ８１３、マイクロフォン８１５、スピーカ８１７及びタッチパネル８２０が接続される。バス８０７は、例えば、複数の種類のバスを含む。一例として、バス８０７は、ＣＰＵ８０１、ＲＯＭ８０３及びＲＡＭ８０５を接続する高速バスと、当該高速バスよりも低速の１つ以上の別のバスを含む。
【００５４】
記憶装置８０９は、端末装置１００内で一時的又は恒久的に保存すべきデータを記憶する。記憶装置８０９は、例えば、ハードディスク（Hard  Disk）等の磁気記憶装置であってもよく、又は、ＥＥＰＲＯＭ（Electrically  Erasable  and  Programmable  Read  Only  Memory）、フラッシュメモリ（flash  memory）、ＭＲＡＭ（Magnetoresistive  Random  Access  Memory）、ＦｅＲＡＭ（Ferroelectric  Random  Access  Memory）及びＰＲＡＭ（Phase  change  Random  Access  Memory）等の不揮発性メモリ（nonvolatile  memory）であってもよい。
【００５５】
通信インターフェース８１１は、端末装置１００が備える通信手段であり、ネットワークを介して（あるいは、直接的に）外部装置と通信する。通信インターフェース８１１は、無線通信用のインターフェースであってもよく、この場合に、例えば、通信アンテナ、ＲＦ回路及びその他の通信処理用の回路を含んでもよい。また、通信インターフェース８１１は、有線通信用のインターフェースであってもよく、この場合に、例えば、ＬＡＮ端子、伝送回路及びその他の通信処理用の回路を含んでもよい。
【００５６】
カメラ８１３は、被写体を撮像する。カメラ８１３は、例えば、光学系、撮像素子及び画像処理回路を含む。
【００５７】
マイクロフォン８１５は、周囲の音を集音する。マイクロフォン８１５は、周囲の音を電気信号へ変換し、当該電気信号をデジタルデータに変換する。
【００５８】
スピーカ８１７は、音声を出力する。スピーカ８１７は、デジタルデータを電気信号に変換し、当該電気信号を音声に変換する。
【００５９】
タッチパネル８２０は、タッチ検出面８２１及び表示面８２３を含む。
【００６０】
タッチ検出面８２１は、タッチパネル８２０におけるタッチ位置を検出する。より具体的には、例えば、ユーザが、タッチパネル８２０にタッチすると、タッチ検出面８２１は、当該タッチを感知し、当該タッチの位置に応じた電気信号を生成し、そして当該電気信号をタッチ位置の情報に変換する。タッチ検出面８２１は、例えば、静電容量方式、抵抗膜方式、光学式等の任意のタッチ検出方式に従って形成され得る。
【００６１】
表示面８２３は、端末装置１００からの出力画像（即ち、表示画面）を表示する。表示面８２３は、例えば、液晶、有機ＥＬ（Organic  Light-Emitting  Diode：ＯＬＥＤ）、ＣＲＴ（Cathode  Ray  Tube）等を用いて実現され得る。
【００６２】
＜２．２．機能構成＞
次に、図４〜図１８を参照して、本実施形態に係る端末装置１００の機能構成の一例を説明する。図４は、本実施形態に係る端末装置１００の機能構成の一例を示すブロック図である。図４を参照すると、端末装置１００は、通信部１１０、入力部１２０、撮像部１３０、集音部１４０、表示部１５０、音声出力部１６０、記憶部１７０及び制御部１８０を備える。
【００６３】
（通信部１１０）
通信部１１０は、他の装置と通信する。例えば、通信部１１０は、ＬＡＮ２３に直接的に接続され、サテライトオフィス２０内の各装置と通信する。また、通信部１１０は、外部ネットワーク３０及びＬＡＮ１９を介して、センタオフィス１０内の各装置と通信する。具体的には、例えば、通信部１１０は、カメラ１１、マイクロフォン１３、センサ１５、メディア配信サーバ１７及び情報管理サーバ２００と通信する。なお、通信部１１０は、例えば、通信インターフェース８１１により実装され得る。
【００６４】
（入力部１２０）
入力部１２０は、端末装置１００のユーザによる入力を受け付ける。そして、入力部１２０は、入力結果を制御部１８０へ提供する。
【００６５】
例えば、入力部１２０は、表示画面においてユーザにより指定される位置を検出する。より具体的には、例えば、入力部１２０は、タッチパネル８２０のタッチ検出面８２１により実装され、タッチパネル８２０におけるタッチ位置を検出する。そして、入力部１２０は、検出されたタッチ位置を制御部１８０へ提供する。
【００６６】
（撮像部１３０）
撮像部１３０は、被写体を撮像する。例えば、撮像部１３０は、端末装置１００の正面方向の領域を撮像する。この場合に、撮像部１３０は、端末装置１００のユーザを撮像する。撮像部１３０は、撮像結果（即ち、撮像画像）を制御部１８０に提供する。なお、撮像部１３０は、例えば、カメラ８１３により実装され得る。
【００６７】
（集音部１４０）
集音部１４０は、端末装置１００の周囲の音を集音する。例えば、集音部１４０は、端末装置１００のユーザの声を集音する。集音部１４０は、集音結果（即ち、音声データ）を制御部１８０に提供する。なお、集音部１４０は、例えば、マイクロフォン８１５により実装され得る。
【００６８】
（表示部１５０）
表示部１５０は、端末装置１００からの出力画像（即ち、表示画面）を表示する。表示部１５０は、制御部１８０による制御に応じて表示画面を表示する。なお、表示部１５０は、例えば、タッチパネル８２０の表示面８２３により実装され得る。
【００６９】
（音声出力部１６０）
音声出力部１６０は、端末装置１００から音声等を出力する。音声出力部１６０は、制御部１８０による制御に応じて音声を出力する。なお、音声出力部１６０は、例えば、スピーカ８１７により実装され得る。
【００７０】
（記憶部１７０）
記憶部１７０は、端末装置１００の動作のためのプログラム及びデータを記憶する。なお、記憶部１７０は、例えば、記憶装置８０９により実装され得る。
【００７１】
（制御部１８０）
制御部１８０は、端末装置１００の様々な機能を提供する。制御部１８０は、位置取得部１８１、オブジェクト選択部１８３、表示制御部１８５、通信用ＩＤ取得部１８７及び電話部１８９を含む。なお、制御部１８０は、例えば、ＣＰＵ８０１、ＲＯＭ８０３及びＲＡＭ８０５により実装され得る。
【００７２】
（位置取得部１８１）
位置取得部１８１は、表示画面においてユーザにより指定される位置を取得する。
【００７３】
具体的には、例えば、上記表示画面は、表示装置により表示される画面であり、当該表示装置は、例えば表示部１５０である。そして、入力部１２０が、当該表示画面においてユーザにより指定される位置を検出すると、位置取得部１８１は、当該位置を取得する。
【００７４】
−撮像画像内の位置の取得
とりわけ本実施形態では、位置取得部１８１は、実空間の撮像画像を含む表示画面においてユーザにより指定される上記撮像画像内の位置を取得する。
【００７５】
例えば、上記表示画面は、表示部１５０により表示される表示画面である。また、例えば、上記撮像画像は、実空間（センタオフィス１０）内にあるカメラ１１を通じて生成される撮像画像である。当該撮像画像は、カメラ１１により生成された撮像画像であってもよく、又は、カメラ１１により生成された撮像画像を加工することにより生成された撮像画像であってもよい。また、上記表示画面は、当該撮像画像を一部又は全体に含む画面である。
【００７６】
また、例えば、位置取得部１８１は、上記表示画面においてユーザにより指定される上記撮像画像内の１つの位置を取得する。即ち、１つの位置がユーザにより指定される。
【００７７】
より具体的には、例えば、入力部１２０が、実空間の撮像画像の表示画面においてユーザにより指定される上記撮像画像内の１つの位置を検出すると、位置取得部１８１は、当該１つの位置を取得する。以下、図５を参照して、このような撮像画像内の位置の取得の具体例を説明する。
【００７８】
図５は、表示画面に含まれる撮像画像内の位置の取得の例を説明するための説明図である。図５を参照すると、表示部１５０により表示される表示画面６０が示されている。また、表示画面６０は、実空間（センタオフィス１０）内にあるいずれかのカメラ１１を通じて生成される撮像画像６１を含む。例えば、入力部１２０が、表示画面６０においてユーザにより指定される撮像画像６１内の１つの位置７１を検出する。そして、位置取得部１８１は、位置７１を取得する。なお、ここでは説明のために図５において位置７１が明示されているが、位置７１が表示画面６０において実際に表示されているわけではないということに留意すべきである。
【００７９】
また、表示画面６０は、別のカメラ１１を選択するためのボタン画像６３Ａ及びボタン画像６３Ｂをさらに含む。例えば、ユーザが、ボタン画像６３の位置を指定すると、表示画面６０には、別のカメラ１１を通じて生成される撮像画像６１が表示される。
【００８０】
以上のように、位置取得部１８１は、ユーザにより指定される撮像画像内の位置を取得する。そして、位置取得部１８１は、撮像画像内の位置をオブジェクト選択部１８３に提供する。
【００８１】
なお、例えば、上記表示装置（例えば、表示部１５０）は、タッチパネルの表示面である。そして、撮像画像内の位置は、タッチパネルにおけるユーザのタッチにより指定される。
【００８２】
（オブジェクト選択部１８３）
オブジェクト選択部１８３は、取得される上記撮像画像内の位置に基づいて、当該撮像画像のいずれかの位置にそれぞれ対応する複数のオブジェクトの中から、１つ以上のオブジェクトを選択する。
【００８３】
−オブジェクトが対応する撮像画像内の位置
上述したとおり、複数のオブジェクトが、撮像画像のいずれかの位置にそれぞれ対応する。例えば、当該複数のオブジェクトの各々は、人物（又は人物に関する情報）であり、当該人物が写る撮像画像内の位置に対応する。以下、この点について図６を参照して具体例を説明する。
【００８４】
図６は、複数のオブジェクト（人物）がそれぞれ対応する位置の例を説明するための説明図である。図６を参照すると、図５と同様に、表示画面６０、撮像画像６１及びボタン画像６３が示されている。そして、４つのオブジェクト（人物）は、それぞれ、人物が写る撮像画像６１内の位置７３（具体的には、位置７３Ａ〜７３Ｄ）に対応する。
【００８５】
以上のように、オブジェクトが撮像画像内の位置に対応する。以下、オブジェクト（人物）がどのように撮像画像内の位置に対応するかを具体的に説明する。
【００８６】
−−第１の例
第１の例として、オブジェクトは、撮像画像内の所定の位置に対応する。
【００８７】
具体的には、例えば、カメラ１１ごとに（又はカメラ１１の設定ごとに）、実空間（センタオフィス１０）のどの範囲が撮像されるかが決まる。即ち、カメラ１１ごとの撮像画像において、実空間（センタオフィス１０）がどのように写るかが決まる。そのため、例えば、撮像画像内に写ると想定される人物（オブジェクト）が、当該撮像画像内で当該人物が写ると想定される所定の位置に対応する。具体的には、例えば、撮像画像内に自席が写る人物（オブジェクト）が、撮像画像内における当該人物の自席付近の所定の位置に対応する。
【００８８】
なお、第１の例では、オブジェクトが対応する撮像画像内の所定の位置は、例えば、情報管理サーバ１８において記憶される。具体的には、例えば、カメラ１１ごとに（又はカメラ１１の設定ごとに）、カメラ１１を通じて生成される撮像画像内の位置と、当該位置に対応するオブジェクトの情報とが記憶される。また、端末装置１００は、情報管理サーバ１８から上記所定の位置を取得する。
【００８９】
また、撮像画像内の上記所定の位置は、人物（オブジェクト）が実際にいる場合には存在し、人物が実際にはいない場合には存在しなくてもよい。即ち、人物（オブジェクト）の存否に応じて、上記所定の位置が存在し、又は存在しなくてもよい。一例として、センサ１５により人物が座席にいると判定される場合に、上記所定の位置が存在し、そうでなければ、上記所定の位置が存在しなくてもよい。
【００９０】
−−第２の例
また、第２の例として、実空間に対応する３次元仮想空間が用意され、オブジェクト（人物、又は人物に関する情報）に対応する仮想物体が上記３次元仮想空間内に配置される。そして、オブジェクトは、当該オブジェクトに対応する仮想物体の（３次元仮想空間内の）配置位置に対応する、撮像画像内の位置に対応する。
【００９１】
具体的には、例えば、実空間におけるカメラ１１の配置位置は、３次元仮想空間におけるいずれかの仮想位置に対応する。そして、当該仮想位置に基づくレンダリングにより生成される画像は、カメラ１１を通じて生成される撮像画像に対応する。そのため、３次元仮想空間内の上記仮想物体の配置位置が、撮像画像内のいずれかの位置に対応する。そして、例えば、仮想物体が対応する人物（オブジェクト）が、当該仮想物体の配置位置に対応する、撮像画像内の位置に対応する。
【００９２】
なお、第２の例では、オブジェクトが対応する撮像画像内の位置は、例えば、情報管理サーバ１８において算出される。具体的には、例えば、情報管理サーバ１８は、端末装置１００からの要求に応じて、３次元仮想空間を用いて、オブジェクトが対応する仮想物体の配置位置から、オブジェクトが対応する撮像画像内の位置を算出する。そして、算出された当該位置が、端末装置１００に提供される。
【００９３】
また、仮想物体の配置位置は、当該仮想物体が対応する人物（オブジェクト）の実際の位置に応じて変化してもよい。この場合に、例えば、当該人物（オブジェクト）の実際の位置は、いずれかのセンサにより検出され、提供されてもよい。そして、提供される当該実際の位置に基づいて、３次元仮想空間における仮想物体の配置位置が変化してもよい。
【００９４】
また、上記３次元仮想空間内に配置される仮想物体は、人物（オブジェクト）が実際にいる場合には存在し、人物が実際にはいない場合には存在しなくてもよい。即ち、人物（オブジェクト）の存否に応じて、上記仮想物体が存在し、又は存在しなくてもよい。一例として、センサ１５により人物が座席にいると判定される場合に、上記仮想物体が存在し、そうでなければ、上記仮想物体が存在しなくてもよい。
【００９５】
−−第３の例
また、上記手法の第３の例は、オブジェクト（人物）は、撮像画像内で当該オブジェクト（人物）が認識された位置に対応する。
【００９６】
具体的には、例えば、撮像画像から人物の顔が認識される。そして、当該人物（オブジェクト）が、認識された顔の位置に対応する。
【００９７】
なお、第３の例では、オブジェクトが対応する撮像画像内の位置は、例えば、情報管理サーバ１８において算出される。具体的には、例えば、情報管理サーバ１８は、端末装置１００からの要求に応じて、撮像画像から人物の顔を認識する。さらに、情報管理サーバ１８は、顔が認識された撮像画像内の位置を、当該人物（オブジェクト）に対応する撮像画像内の位置として取得する。そして、取得された当該位置が、端末装置１００に提供される。
【００９８】
−オブジェクトの選択の手法
−−第１のケース
第１に、例えば、撮像画像内の１つの位置がユーザにより指定され、取得され、撮像画像内の当該１つの位置が、上記複数のオブジェクトのうちのいずれかのオブジェクトが対応する位置と合致する。この場合に、オブジェクト選択部１８３は、上記撮像画像内の取得される上記位置と合致する位置に対応するオブジェクトを選択する。以下、この点について、図７を参照して具体例を説明する。
【００９９】
図７は、いずれかのオブジェクトが対応する位置とユーザにより指定される位置とが合致する場合に選択されるオブジェクトの例を説明するための説明図である。図７を参照すると、表示画面６０と、表示画面に含まれる撮像画像６１とが示されている。図７では、より分かりやすい説明のために、撮像画像６１の具体的な画像は示されず、撮像画像内の取得される位置７１（即ち、ユーザにより指定される位置）と、オブジェクトが対応する位置７３とが示されている。この例では、例えば、撮像画像６１内の取得される位置７１は、オブジェクトが対応する位置７３Ｂと合致する。よって、オブジェクト選択部１８３は、位置７３Ｂに対応するオブジェクトを選択する。
【０１００】
例えば以上のように、ユーザにより指定される位置と合致する位置に対応する１つのオブジェクトが選択される。
【０１０１】
−−第２のケース
第２に、例えば、とりわけ本実施形態では、オブジェクト選択部１８３は、上記複数のオブジェクトの中から、上記撮像画像内の取得される位置（即ち、ユーザにより指定される位置）に対応する領域内にある位置に対応する１つ以上のオブジェクトを選択する。即ち、選択される上記１つ以上のオブジェクトは、上記複数のオブジェクトのうちの、取得される上記位置に対応する領域内にある位置に対応するオブジェクトである。
【０１０２】
例えば、撮像画像内の１つの位置がユーザにより指定され、取得され、撮像画像内の当該１つの位置が、上記複数のオブジェクトのうちのいずれかのオブジェクトが対応するどの位置とも合致しない。この場合に、オブジェクト選択部１８３は、上記複数のオブジェクトの中から、取得される上記１つの位置に対応する領域内にある位置に対応する１つ以上のオブジェクトを選択する。即ち、選択される上記１つ以上のオブジェクトは、上記複数のオブジェクトのうちの、取得される上記１つの位置に対応する領域内にある位置に対応するオブジェクトである。
【０１０３】
例えば、オブジェクト選択部１８３は、上記複数のオブジェクトの中から、上記撮像画像内の取得される上記位置を含む所定の形状の領域内にある位置に対応するオブジェクトを選択する。即ち、選択される上記１つ以上のオブジェクトは、上記複数のオブジェクトのうちの、取得される上記１つの位置を含む所定の形状の領域内にある位置に対応するオブジェクトである。以下、図８を参照して、当該領域の具体例を説明し、図９を参照して、選択されるオブジェクトの具体例を説明する。
【０１０４】
図８は、オブジェクトを選択するための領域の例を説明するための説明図である。図８を参照すると、撮像画像内の取得される位置７１（即ち、ユーザにより指定される位置）と、位置７１を含む所定の形状の領域７５とが、示されている。例えば、第１の例として、領域７５Ａは、位置７１を中心とする円の領域である。また、第２の例として、領域７５Ｂは、位置７１を中心とする矩形（一例として、正方形）の領域である。ユーザにより位置７１が指定されると、このような領域７５（例えば、領域７５Ａ又は領域７５Ｂ）内にある位置に対応するオブジェクトが選択される。
【０１０５】
図９は、いずれかのオブジェクトが対応するどの位置にもユーザにより指定される位置が合致しない場合に選択されるオブジェクトの例を説明するための説明図である。図９を参照すると、表示画面６０と、表示画面に含まれる撮像画像６１とが示されている。図９でも、図７と同様に、より分かりやすい説明のために、撮像画像６１の具体的な画像は示されず、撮像画像６１内の取得される位置７１（即ち、ユーザにより指定される位置）と、オブジェクトが対応する位置７３とが示されている。この例では、撮像画像内の取得される位置７１は、いずれかのオブジェクトが対応するどの位置とも合致しない。すなわち、位置７１は、いずれの位置７３とも合致しない。そこで、オブジェクト選択部１８３は、撮像画像６１内の取得される位置７１を含む所定の形状の領域７５Ａ（位置７１を中心とする円の領域７５Ａ）内にある位置７３Ａ及び位置７３Ｂに対応するオブジェクトを選択する。
【０１０６】
例えば以上のように、ユーザにより指定される位置を含む所定の形状の領域内にある位置に対応する１つ以上のオブジェクトが選択される。図９に示されるように、２つ以上のオブジェクトが選択されてもよく、又は１つのオブジェクトが選択されてもよい。
【０１０７】
−−第３のケース
なお、例えば、上記複数のオブジェクトが対応するいずれの位置も、撮像画像内の取得される上記位置（即ち、ユーザにより指定される位置）に対応する領域内にない場合もある。この場合に、オブジェクト選択部１８３は、いずれのオブジェクトも選択しない。以下、この点について、図１０を参照して具体例を説明する。
【０１０８】
図１０は、ユーザにより撮像画像内の位置が指定されてもいずれのオブジェクトも選択されないケースの一例を説明するための説明図である。図１０を参照すると、表示画面６０と、表示画面に含まれる撮像画像６１とが示されている。図１０でも、図７及び図９と同様に、より分かりやすい説明のために、撮像画像６１の具体的な画像は示されず、撮像画像６１内の取得される位置７１（即ち、ユーザにより指定される位置）と、オブジェクトが対応する位置７３とが示されている。この例では、撮像画像内の取得される位置７１は、いずれかのオブジェクトが対応するどの位置とも合致しない。即ち、位置７１は、いずれの位置７３とも合致しない。また、上記複数のオブジェクトが対応するいずれの位置も、位置７１を中心とする領域７５Ａ内にない。このような場合に、オブジェクト選択部１８３は、いずれのオブジェクトも選択しない。
【０１０９】
以上のように、オブジェクト選択部１８３は、オブジェクトを選択する。なお、オブジェクト選択部１８３についての他の動作については、以下の表示制御部１８５についての説明の後に説明する。
【０１１０】
（表示制御部１８５）
表示制御部１８５は、表示装置による表示を制御する。当該表示装置は、例えば、表示部１５０である。
【０１１１】
−撮像画像を含む表示画面の表示制御
例えば、表示制御部１８５は、表示部１５０に、実空間の撮像画像を含む表示画面を表示させる。
【０１１２】
例えば、上述したように、当該撮像画像は、実空間（センタオフィス１０）内にあるカメラ１１を通じて生成される撮像画像である。当該撮像画像は、カメラ１１により生成された撮像画像であってもよく、又は、カメラ１１により生成された撮像画像を加工することにより生成された撮像画像であってもよい。また、上記表示画面は、当該撮像画像を一部又は全体に含む画面である。例えば、図５及び図６に示される表示画面６０のような表示画面が、表示部１５０により表示される。
【０１１３】
具体的な処理として、例えば、表示制御部１８５は、通信部１１０を介して、カメラ１１により生成される撮像画像を取得する。そして、表示制御部１８５は、撮像画像を含む表示画面を生成し、表示部１５０に当該表示画面を表示させる。
【０１１４】
また、例えば、上記撮像画像は、実空間（センタオフィス１０）内にある複数のカメラ１１のうちの選択された１つのカメラ１１を通じて生成された撮像画像である。なお、上述したように、例えば、図５に示されるボタン画像６３Ａ又は画像６３Ｂの位置をユーザが指定することにより、別のカメラ１１が選択される。このようにカメラ１１を選択できるので、ユーザは所望の位置からの撮像画像を見ることができる。
【０１１５】
−撮像画像内の位置をユーザが指定した後の表示画面
−−第１のケース：１つのオブジェクトが選択されるケース
第１に、例えば、ユーザが撮像画像内の位置を指定すると、上記複数のオブジェクトの中から、１つのオブジェクトが選択される。この場合に、当該１つのオブジェクトに関する情報が表示される。即ち、表示制御部１８５は、複数のオブジェクトの中から１つのオブジェクトが選択される場合に、表示部１５０に、当該１つのオブジェクトに関する情報を表示させる。
【０１１６】
例えば、上記１つのオブジェクトに関する情報は、当該１つのオブジェクトが対応する撮像画像内の位置を含む撮像画像内の部分領域の画像である。即ち、表示制御部１８５は、表示部１５０に、選択された１つのオブジェクトが対応する撮像画像内の位置を含む撮像画像内の部分領域の画像である。例えば、このような部分領域は、人物（オブジェクト）が写る領域である。また、例えば、当該部分領域の画像は、当該部分領域が拡大された拡大画像である。以下、この点について、図１１を参照して具体例を説明する。
【０１１７】
図１１は、１つのオブジェクトが選択される場合に表示される表示画面の一例を説明するための説明図である。図１１を参照すると、表示画面８０が示されている。この表示画面８０は、図５及び図７に示されるように、表示画面６０においてユーザにより撮像画像６１内の位置７１が指定された場合（即ち、位置７３Ｂに対応するオブジェクトが選択された場合）に表示される表示画面である。そのため、表示画面８０には、位置７３Ｂを含む撮像画像６１内の部分領域の画像８１が含まれる。当該部分領域は、人物（オブジェクト）が写る領域である。また、画像８１は、上記部分領域が拡大された拡大画像である。以上のように、表示制御部１８５は、表示部１５０に、選択された１つのオブジェクトが対応する位置を含む部分領域の拡大画像を表示させる。
【０１１８】
なお、図１１を参照すると、表示画面８０は、ボタン画像８３をさらに含む。ボタン画像８３は、元の表示画面への切換えをユーザが指定するための画像である。例えば、ユーザが、ボタン画像８３の位置を指定すると、再び、図５に示されるような表示画面６０が表示部１５０により表示される。
【０１１９】
−−第２のケース：２つ以上のオブジェクトが選択されるケース
第２に、例えば、ユーザが撮像画像内の位置を指定すると、上記複数のオブジェクトの中から２つ以上のオブジェクトが選択される。とりわけ本実施形態では、この場合に、表示制御部１８５は、表示部１５０に、上記２つ以上のオブジェクトの各々に関する情報を表示させる。
【０１２０】
例えば、上記２つ以上のオブジェクトは、第１のオブジェクト及び第２のオブジェクトを含む。そして、上記２つ以上のオブジェクトの各々に関する上記情報は、上記第１のオブジェクトが対応する上記撮像画像内の位置を含む上記撮像画像内の第１の部分領域の画像、及び、上記第２のオブジェクトが対応する上記撮像画像内の位置を含む上記撮像画像内の第２の部分領域の画像を含む。即ち、表示制御部１８５は、表示部１５０に、上記第１のオブジェクトが対応する位置を含む撮像画像内の第１の部分領域の画像と、上記第２のオブジェクトが対応する位置を含む撮像画像内の第２の部分領域の画像とを表示させる。例えば、第１の部分領域は、第１の人物（第１のオブジェクト）が写る領域であり、第２の部分領域は、第２の人物（第２のオブジェクト）が写る領域である。
【０１２１】
また、例えば、表示制御部１８５は、表示部１５０に、上記第１の部分領域の上記画像及び上記第２の部分領域の上記画像を並列に表示させる。
【０１２２】
また、例えば、上記第１の部分領域の上記像は、上記１の部分領域が拡大された拡大画像である。また、上記第２の部分領域の上記画像は、上記第２の部分領域が拡大された拡大画像である。以下、図１２を参照して、２つ以上のオブジェクトが選択される場合に表示される表示画面の具体例を説明する。
【０１２３】
図１２は、２つ以上のオブジェクトが選択される場合に表示される表示画面の一例を説明するための説明図である。図１２を参照すると、表示画面８０が示されている。この表示画面８０は、図５に示されるような表示画面６０において、図９に示されるようにユーザにより撮像画像６１内の位置７１が指定された場合（即ち、位置７３Ａ及び位置７３Ｂに対応するオブジェクトが選択された場合）に表示される表示画面である。そのため、表示画面８０には、位置７３Ａを含む撮像画像６１内の部分領域の画像８５Ａと、位置７３Ｂを含む撮像画像６１内の部分領域の画像８５Ｂとが含まれる。各部分領域の画像８５は、人物（オブジェクト）が写る領域である。また、画像８５Ａは、位置７３Ａを含む部分領域が拡大された画像であり、画像８５Ｂは、位置７３Ｂを含む部分領域が拡大された画像である。また、画像８５Ａ及び画像８５Ｂは並列に表示される。以上のように、表示制御部１８５は、表示部１５０に、選択されたオブジェクトが対応する位置を含む部分領域の拡大画像を表示させる。
【０１２４】
−−−部分領域の画像を含む表示画面の生成プロセス
ここで、図１２に示されるような画像８５Ａ及び画像８５Ｂを含む表示画面８０の生成プロセスの例を、図１３〜図１５を参照して説明する。
【０１２５】
図１３、図１４Ａ、図１４Ｂ及び図１５は、第１の部分領域の画像８５Ａ及び第２の部分領域の画像８５Ｂを含む表示画面８０の生成プロセスの一例を説明するための説明図である。
【０１２６】
まず、図１３を参照すると、撮像画像６１が示されている。この撮像画像６１は、図５に示されるものと同様である。例えば、図９に示されるように、ユーザにより撮像画像６１内の７１が指定される。そして、位置７３Ａに対応する第１のオブジェクトと、位置７３Ｂに対応する第２のオブジェクトとが選択される。すると、位置７３Ａ及び位置７３Ｂを含む部分領域に対する拡大処理（ズーム処理）が行われ、当該部分領域の拡大画像８６が生成される。
【０１２７】
次に、図１４Ａを参照すると、拡大画像８６のうちの、位置７３Ａを中心とする部分領域が切りだされる。これにより、切りだされた当該部分領域の画像８５Ａが生成される。同様に、図１４Ｂを参照すると、拡大画像８６のうちの、位置７３Ｂを中心とする部分領域が切りだされる。これにより、切りだされた当該部分領域の画像８５Ｂが生成される。
【０１２８】
そして、図１５を参照すると、画像８５Ａ及び画像８５Ｂが、表示画面８０に並列に組み込まれる。即ち、画像８５Ａ及び画像８５Ｂが並列に配置された表示画面８０が生成される。
【０１２９】
例えば以上のように、図１２に示されるような画像８５Ａ及び画像８５Ｂを含む表示画面８０が生成される。
【０１３０】
−−−操作促進標識の表示
さらに、表示制御部１８５は、表示部１５０に、上記２つ以上のオブジェクトの中から１つのオブジェクトをユーザにより指定させるための標識（オブジェクト指定促進標識）を表示させてもよい。以下、この点について図１６を参照して具体例を説明する。
【０１３１】
図１６は、オブジェクト指定促進標識の一例を説明するための説明図である。図１６を参照すると、図１２と同様に、表示画面８０、画像８５Ａ及び画像８５Ｂが示されている。そして、さらに、画像８５Ａに対応するオブジェクト、又は画像８５Ｂに対応するオブジェクトを指定するための、オブジェクト指定促進標識８７Ａ及び８７Ｂが表示される。
【０１３２】
−−第３のケース：いずれのオブジェクトも選択されないケース
第３に、例えば、ユーザが撮像画像内の位置を指定しても、いずれのオブジェクトも選択されない。この場合に、表示制御部１８５は、表示部１５０に、上記撮像画像内の位置をユーザに指定させるための標識（以下、「位置指定促進標識」と呼ぶ）を表示画面に表示させる。以下、この点について図１７を参照して具体例を説明する。
【０１３３】
図１７は、位置指定促進標識の一例を説明するための説明図である。図１７を参照すると、図５と同様に、表示画面６０及び撮像画像６１が示されている。そして、例えば図１０に示されるようにユーザにより撮像画像内の位置が指定され、その結果、いずれのオブジェクトも選択されない。この場合に、表示制御部１８５は、表示部１５０に、「再度タッチして下さい」という文字情報を含む位置指定促進標識６５を表示させる。
【０１３４】
このような再指定促進標識６５により、ユーザは、撮像画像内の位置を再度指定する必要があることに気付くことができる。そのため、ユーザにとっての利便性が高まる。
【０１３５】
−電話時の表示画面
例えば、表示制御部１８５は、電話時において、表示部１５０に、通話用の表示画面を表示させる。この点については、電話部１８９に関連して後に説明する。
【０１３６】
（オブジェクト選択部１８３（続き））
ここで、オブジェクト選択部１８３の動作を再び説明する。
【０１３７】
−−第１のケース：１つのオブジェクトが選択されるケース
上述したように、１つのオブジェクトが選択される場合には、例えば図１１に示されるように、当該１つのオブジェクトが対応する位置を含む部分領域の画像８１が表示される。このような場合に、オブジェクト選択部１８３は、上記１つのオブジェクトがユーザにより指定されると、当該１つのオブジェクトを選択する。
【０１３８】
一例として、ユーザは、画像８１のうちのいずれかの位置をタッチすることにより、上記１つのオブジェクトを指定する。
【０１３９】
−−第２のケース：２つ以上のオブジェクトが選択されるケース
上述したように、２つ以上のオブジェクトが選択される場合には、例えば図１２に示されるように、各オブジェクトが対応する位置を含む部分領域の画像８５が表示される。このような場合に、とりわけ本実施形態では、オブジェクト選択部１８３は、上記２つ以上のオブジェクトの中から、ユーザにより指定される１つのオブジェクトを選択する。
【０１４０】
一例として、ユーザは、画像８５Ａのうちのいずれかの位置をタッチすることにより、画像８５Ａに対応する１つのオブジェクトを指定する。また、ユーザは、画像８５Ｂのうちのいずれかの位置をタッチすることにより、画像８５Ｂに対応する１つのオブジェクトを指定する。
【０１４１】
（通信用ＩＤ取得部１８７）
通信用ＩＤ取得部１８７は、通信用の識別情報（以下、「通信用ＩＤ」と呼ぶ）を取得する。
【０１４２】
−オブジェクトに対応する通信用ＩＤの取得
上述したように、一例として、選択された１つのオブジェクトに関する情報（例えば、図１１に示される画像８１）が表示され、当該１つのオブジェクトが、ユーザにより指定され、選択される。また、別の例として、選択された２つ以上のオブジェクトに関する情報（例えば、図１２に示される画像８５Ａ及び画像８５Ｂ）が表示され、当該２つ以上のオブジェクトの中から、ユーザにより指定される１つのオブジェクトが選択される。これらの例のように、１つのオブジェクトが選択されると、当該１つのオブジェクトに対応する通信用ＩＤが取得される。即ち、通信用ＩＤ取得部１８７は、１つのオブジェクトが選択されると、当該１つのオブジェクトに対応する通信用ＩＤを取得する。
【０１４３】
具体的には、例えば、オブジェクト選択部１８５が、１つのオブジェクトを選択すると、通信用ＩＤ取得部１８７は、選択された当該１つのオブジェクトのオブジェクトＩＤを取得する。そして、通信用ＩＤ取得部１８７は、当該オブジェクトＩＤに対応する通信用ＩＤを取得する。
【０１４４】
なお、上記オブジェクトＩＤ及び上記通信用ＩＤは、例えば、情報管理サーバにより、各オブジェクトに対応する撮像画像内の位置とともに端末装置１００に提供され、記憶部１７０に記憶される。そして、１つのオブジェクトを選択すると、当該１つのオブジェクトのオブジェクトＩＤが記憶部１７０から取得され、通信用ＩＤ取得部１８７に提供される。そして、通信用ＩＤ取得部１８７は、提供されたオブジェクトＩＤに対応する通信用ＩＤを記憶部１７０から取得する。
【０１４５】
−通信用ＩＤの種類
−−第１の例：専用網の通信用ＩＤ
例えば、上記通信用ＩＤは、専用網における通信のための識別情報である。これにより、専用網において所望の人物にコンタクトすることが可能になる。
【０１４６】
一例として、上記通信用ＩＤは、専用網における電話のための電話番号である。
【０１４７】
上記専用網は、内線電話網を含んでもよく、又は無線ＬＡＮ通信網を含んでもよい。また、専用網は、ＶＰＮ（Virtual  Private  Network）で接続された２つ以上の無線ＬＡＮ通信網を含んでもよい。
【０１４８】
−−第２の例：公衆網の通信用ＩＤ
なお、上記通信用ＩＤは、公衆網を介して通信するための識別情報であってもよい。これにより、公衆網を介して所望の人物にコンタクトすることが可能になる。
【０１４９】
一例として、上記通信用ＩＤは、公衆網における電話のための電話番号であってもよい。
【０１５０】
例えば、上記公衆網は、移動体通信網を含んでもよい。これにより、移動体通信網を介して所望の人物にコンタクトすることが可能になる。例えば、携帯電話端末へのコンタクトが可能になる。また、上記公衆網は、インターネット、又は公衆交換回線網（Public  Switched  Telephone  Network：ＰＳＴＮ）を含んでもよい。
【０１５１】
また、通信用ＩＤ取得部１８７は、特番（特殊用途の番号）を付加しつつ通信用ＩＤを取得してもよい。この場合、通信用ＩＤ取得部１８７は、オブジェクトＩＤに対応する通信用ＩＤを記憶部１７０から取得するとき、通信用ＩＤに特番を付加し取得する。具体的には、例えば、通信用ＩＤ取得部１８７は、オブジェクトＩＤに対応する通信用ＩＤとして電話番号「ｙｙｙｙ」を記憶部１７０から取得するとき、電話番号「ｙｙｙｙ」に特番「ｘｘ」を付加し、通信用ＩＤとして電話番号「ｘｘ−ｙｙｙｙ」を取得する。
【０１５２】
また、通信用ＩＤ取得部１８７は、通信用ＩＤの取得の際、特番を付加するか否かの判断及び付加する特番の決定をする通信用ＩＤ調整手段を有してもよい。この通信用ＩＤ調整手段は、通信用ＩＤ取得部１８７が、オブジェクトＩＤに対応する通信用ＩＤを記憶部１７０から取得するとき、取得する通信用ＩＤについて、外部の通信制御手段（当該通信用ＩＤに基づき通信の制御おこなう手段（例えばＰＢＸ４０等））に問合せし、特番を付加するか否かの判断及び付加する特番の決定をする。ここで、通信用ＩＤ調整手段における問合せ処理は、通信用ＩＤ調整手段が、ＰＢＸ４０（ＰＢＸ４０のＤＢ（呼制御にために用いるデータのデータベース（局データ）））に接続することである。なお、通信用ＩＤ調整手段は、ＰＢＸ４０が対応するＨ．３２３又はＳＩＰに対応し、ＰＢＸ４０に接続する。また、通信用ＩＤ調整手段における特番を付加するか否かの判断の処理は、通信用ＩＤ調整手段が、通信用ＩＤ取得部１８７が取得する通信用ＩＤがＰＢＸ４０において内線相互接続、局線発信接続又は専用線発信接続のいずれに該当するか確認し、局線発信接続又は専用線発信接続に該当する場合に特番を付加すると判断することである。他方、通信用ＩＤ調整手段は、内線相互接続に該当すると確認できると特番を付加しないと判断する。また、通信用ＩＤ調整手段における付加する特番の決定の処理は、特番を付加するか否かの判断の処理にて局線発信接続に該当し特番を付加すると判断された場合に局線発信特番「０」を付加する特番と決定し、特番を付加するか否かの判断の処理にて専用線発信接続に該当し特番を付加すると判断された場合に専用線発信特番「１」を付加する特番と決定することである。
【０１５３】
（電話部１８９）
電話部１８９は、電話を行うための機能を提供する。例えば、電話部１８９は、ソフトフォンの機能を提供する。
【０１５４】
−電話発信
例えば、電話部１８９は、通信用ＩＤ取得部１８７から通信用ＩＤを取得すると、当該通信用ＩＤを用いて電話発信を行う。より具体的には、例えば、電話部１８９は、通信用ＩＤを取得すると、通信部１１０を介して、当該通信用ＩＤをＰＢＸ４０に提供し、ＰＢＸ４０からＩＰアドレスを取得する。そして、電話部１８９は、当該ＩＰアドレスを有する通信装置（即ち、着信先の通信装置）との間で、セッションを確立するための一連のシーケンスを実行する。
【０１５５】
このように、電話部１８９は、表示画面において選択された人物（オブジェクト）への電話のための電話発信を行う。即ち、電話部１８９は、当該人物の通信装置への電話発信を行う。
【０１５６】
−音声データ及び映像データの通信
また、電話の相手先の通信装置からの音声データが、通信部１１０により受信されると、電話部１８９は、音声出力部１６０に、当該音声データの音声を出力させる。また、電話部１８９は、通信部１１０に、集音部１４０により提供される音声データを電話の相手先の通信装置へ送信させる。また、電話部１８９は、例えば、通信部１１０に、撮像部１３０により提供される撮像画像（例えば、端末装置１００のユーザが写っている撮像画像）も電話の相手先の通信装置へ送信させる。
【０１５７】
−通話用の表示画面
また、このような電話時において、表示制御部１８５は、通話用の表示画面を表示させる。以下、通話用の表示画面について図１８を参照して具体例を説明する。
【０１５８】
図１８は、通話用の表示画面の一例を説明するための説明図である。図１８を参照すると、会通話用の表示画面９０が示されている。表示画面９０は、相手側撮像画像９１、ボタン画像９３及び自分側撮像画像９５を含む。
【０１５９】
相手側撮像画像９１は、例えば、電話の相手先の通信装置から取得された撮像画像である。例えば、電話の相手先の通信装置からの撮像画像が、通信部１１０により受信されると、電話部１８９は、当該撮像画像を相手側撮像画像９１として利用する。
【０１６０】
また、ボタン画像９３は、電話を終了させるための画像である。例えば、ユーザが、ボタン画像９３の位置を指定すると、電話部１８９は、電話を終了させる。より具体的には、例えば、ユーザがボタン画像９３の位置をタッチし、ボタン画像９３に対応するタッチ位置が検出されると、電話部１８９は、セッションの切断を含む電話終了用のシーケンスを実行する。また、例えば、電話部１８９は、表示モードを会話モードから俯瞰モードに切り替える。
【０１６１】
自分側撮像画像９５は、撮像部１３０により提供される撮像画像である。
【０１６２】
（作用効果）
以上、本実施形態に係る端末装置１００の機能構成の例を説明した。以上のように、空間の撮像画像を含む表示画面においてユーザにより指定される当該上記撮像画像内の位置に基づいて、当該撮像画像のいずれかの位置にそれぞれ対応する複数のオブジェクトの中から、１つ以上のオブジェクトが選択される。そして、複数のオブジェクトの中から２つ以上のオブジェクトが選択される場合に、上記２つ以上のオブジェクトの各々に関する情報が表示される。さらに、上記２つ以上のオブジェクトの中から、ユーザにより指定される１つのオブジェクトが選択される。そして、当該１つのオブジェクトが選択されると、当該１つのオブジェクトに対応する通信用ＩＤが取得される。
【０１６３】
これにより、直感的な操作でより容易に所望の人物にコンタクトすることを可能にすることが可能となる。
【０１６４】
より具体的には、例えば、ユーザは、表示画面の撮像画像において１人の人物（オブジェクト）をピンポイントで指定できなかったとしても、２人以上の人物（２つ以上のオブジェクト）が選択され、当該２人以上の人物に関する情報が表示される。そして、ユーザは、改めて表示された人物に関する情報から、１人の人物（１つのオブジェクト）をピンポイントで選択することができる。そのため、例えば、表示画面自体が小さい場合、表示画面に写っている人物が小さい場合等であっても、最終的に、１人の人物を選択することができる。また、２人以上の人物のうちのいずれの人物を指定しているのか不明な際に１人の人物が自動的に選択されるのではなく、２人以上の人物が選択されるので、誤った１人のみが選択されることが回避される。即ち、より容易に所望の人物を選択することが可能になる。
【０１６５】
また、選択された人物に対応する通信用ＩＤ（例えば、電話番号）が取得される。そのため、選択した人物にコンタクトすることが可能になる。
【０１６６】
即ち、表示画面において人物を指定するという直感的な操作で、表示画面においてピンポイントで人物を指定することが困難な場合であってもより容易に、所望の人物にコンタクトすることが可能になる。
【０１６７】
また、具体的には、表示制御部１８５に関連して上述したように、例えば、選択される２つ以上のオブジェクトは、第１のオブジェクト及び第２のオブジェクトを含む。そして、当該第１のオブジェクトが対応する位置を含む上記撮像画像内の第１の部分領域の画像、及び、上記第２のオブジェクトが対応する位置を含む上記撮像画像内の第２の部分領域の画像が、表示される。
【０１６８】
このように人物（オブジェクト）に対応する位置を含む部分領域の画像が表示されることで、２人以上の人物の中から所望の人物をより直感的に指定することが可能になる。即ち、顔、髪型、後ろ姿、姿勢のような見た目の確認という直感的な確認により所望の人物を指定することが可能になる。そのため、ユーザにとっての利便性が高まる。例えば、より素早く、及び／又はより負担なく、人物を指定することが可能になり得る。
【０１６９】
また、表示制御部１８５に関連して上述したように、例えば、第１の部分領域の画像及び第２の部分領域の画像が、並列に表示される。
【０１７０】
これにより、２人以上の人物をより容易に比べることが可能になる。そのため、ユーザにとっての利便性が高まる。例えば、より素早く、及び／又はより負担なく、人物を指定することが可能になり得る。
【０１７１】
また、表示制御部１８５に関連して上述したように、例えば、上記第１の部分領域の上記画像は、上記第１の部分領域が拡大された拡大画像であり、上記第２の部分領域の上記画像は、上記第２の部分領域が拡大された拡大画像である。
【０１７２】
これにより、２人以上の人物の各々をより容易に確認することが可能になる。そのため、ユーザにとっての利便性が高まる。例えば、より素早く、及び／又はより負担なく、人物を指定することが可能になり得る。
【０１７３】
また、オブジェクト選択部１８３に関連して上述したように、例えば、上記複数のオブジェクトのうちの、ユーザにより指定される位置に対応する領域内にある位置に対応するオブジェクトが、選択される。
【０１７４】
これにより、ピンポイントで人物（オブジェクト）に対応する位置を指定しなくても、当該人物が選択され得る。そのため、ユーザによる指定をより容易にすることが可能になる。
【０１７５】
また、オブジェクト選択部１８３に関連して上述したように、例えば、表示画面においてユーザにより指定される１つの位置を含む所定の形状の領域内にある位置に対応する人物（オブジェクト）が選択される。
【０１７６】
これにより、ユーザが指定した位置の近傍の位置に対応する人物（オブジェクト）が選択される。そのため、選択されるオブジェクトの中に、ユーザが指定しようとする人物（即ち、所望の人物）が含まれる可能性が高くなる。
【０１７７】
また、オブジェクト選択部１８３に関連して上述したように、例えば、上記複数のオブジェクトが対応するいずれの位置も、ユーザにより指定される位置に対応する上記領域内にない場合には、いずれのオブジェクトも選択されない。また、表示制御部１８５に関連して上述したように、いずれのオブジェクトも選択されない場合に、上記撮像画像内の位置をユーザに指定させるための標識（即ち、位置指定促進標識）が表示される。
【０１７８】
これにより、いずれの人物（オブジェクト）も選択されなかったことを、ユーザに知らせることができる。そのため、ユーザがより素早く人物を再度指定することが可能になる。
【０１７９】
また、位置取得部１８１に関連して上述したように、例えば、上記撮像画像内の位置は、タッチパネルにおけるユーザのタッチにより指定される。
【０１８０】
これにより、表示画面において人物（オブジェクト）の近傍の位置にタッチするという直感的な操作で、容易に人物（オブジェクト）を選択することが可能になる。
【０１８１】
＜２．３．ソフトウェア構成＞
次に、図１９を参照して、本実施形態に係る端末装置１００のソフトウェア構成の一例を説明する。図１９は、本実施形態に係る端末装置１００のソフトウェア構成の一例を示すブロック図である。図１９を参照すると、端末装置１００は、ＯＳ（Operating  System）８４０及びアプリケーションソフトウェアを備える。そして、端末装置１００は、アプリケーションソフトウェアとして、ソフトフォン８５１、超臨場感クライアント８５３及び電話発信制御機能８５５を含む。
【０１８２】
ＯＳ８４０は、端末装置１００を動作させるための基本的な機能を提供するソフトウェアである。ＯＳ８４０は、各アプリケーションソフトウェアを実行する。
【０１８３】
ソフトフォン８５１は、端末装置１００を用いて電話を行うためのアプリケーションソフトウェアである。超臨場感クライアント８５３は、実空間の情報を端末装置１００に提供するためのアプリケーションソフトウェアである。また、電話発信制御機能８５５は、オブジェクト（人物）に対応する通信用ＩＤを取得するアプリケーションソフトウェアである。
【０１８４】
例えば、電話発信制御機能８５５は、通信用ＩＤを取得すると、ＯＳを介してソフトフォン８５１に提供する。そして、ソフトフォン８５１は、当該通信用ＩＤを用いて、電話発信を行う。
【０１８５】
また、例えば、超臨場感クライアント８５３は、実空間（例えば、センタオフィス１０）にいる人物の状態を示す状態情報を取得し、ＯＳを介してソフトフォン８５１に提供してもよい。そして、ソフトフォン８５１は、当該状態情報に基づいて、電話発信を制御してもよい。
【０１８６】
なお、位置取得部１８１、オブジェクト選択部１８３及び通信用ＩＤ取得部１８７は、電話発信制御機能８５５により実装され得る。また、電話部１８９は、例えば、ソフトフォン８５１により実装され得る。また、表示制御部１８５は、ソフトフォン８５１、超臨場感クライアント８５３及び電話発信制御機能８５５により実装され得る。
【０１８７】
また、電話発信制御機能８５５は、超臨場感クライアント８５３の中に組み込まれてもよい。
【０１８８】
＜２．４．画面遷移＞
次に、図２０〜図２５を参照して、上述したようなオブジェクトの選択及び通信用ＩＤの取得のための表示画面（例えば、図５に示される表示画面６０）が表示されるまでの画面遷移の例を説明する。
【０１８９】
図２０は、メニュー画面の例を説明するための説明図である。図２０を参照すると、メニュー画面１０００が示されている。メニュー画面には、各ソフトウェアを起動するためのアイコンが含まれる。例えば、メニュー画面１０００は、ソフトフォン８５１のアイコン１０１０、超臨場感クライアント８５３のアイコン１０２０及び電話帳のアイコン１０３０を含む。例えば、ユーザがアイコン１０１０を指定すると、ソフトフォン８５１が起動する。また、ユーザがアイコン１０２０を指定すると、超臨場感クライアント８５３が起動する。また、ユーザがアイコン１０３０を指定すると、電話帳が起動する。
【０１９０】
図２１は、画面に表示されるソフトフォンのユーザインターフェースの例である。図２１を参照すると、ソフトフォン用のユーザインターフェース１１１０が示されている。ユーザがアイコン１０１０を指定し、ソフトフォン８５１が起動すると、このようにユーザインターフェース１１１０が表示される。ユーザは、ユーザインターフェース１１１０を介した操作により、電話の発着信を行うことができる。
【０１９１】
図２２は、超臨場感クライアントの表示画面の例を説明するための説明図である。図２２を参照すると、図５と同様に、超臨場クライアントの表示画面６０が示されている。ユーザがアイコン１０２０を指定し、超臨場感クライアント８５３が起動すると、このように表示画面６０が表示される。なお、超臨場感クライアント８５３が起動した段階では、初期設定に基づいてカメラ１１が選択され、当該カメラ１１を通じて生成された撮像画像６１を含む表示画面６０が表示される。その後、ボタン画像６３の指定等によって、別のカメラ１１が選択され得る。
【０１９２】
図２３は、電話帳の表示画面の例を説明するための説明図である。図２３を参照すると、電話帳の表示画面１１３０が示されている。ユーザがアイコン１０３０を指定し、電話帳が起動すると、このように表示画面１１３０が表示される。表示画面１１３０には、連絡先１１３１Ａ〜１１３１Ｄが含まれる。ボタン画像１１３３Ａ〜１１３３Ｃも含まれる。
【０１９３】
例えば、ユーザが、「荒川」に対応する連絡先１１３１Ａのうちのボタン画像１１３３Ａ以外の位置を指定すると、ＯＳ８４０が、ソフトフォン８５１を起動し、ソフトフォン８５１に、「荒川」に対応する電話番号「２２００」と発信の指示とを提供する。すると、ソフトフォン８５１が、「荒川」に対応する電話番号「２２００」への電話発信を行う。
【０１９４】
また、ユーザが、「アレックス」に対応する連絡先１１３１Ｂのうちのボタン画像１１３３Ｂ以外の位置を指定すると、ＯＳ８４０が、ソフトフォン８５１を起動し、ソフトフォン８５１に、「アレックス」に対応する電話番号「２０１０」と発信の指示とを提供する。すると、ソフトフォン８５１が、「アレックス」に対応する電話番号「２０１０」への電話発信を行う。
【０１９５】
また、ユーザが、ボタン画像１１３３Ｂの位置を指定すると、ＯＳ８４０が、超臨場感クライアント８５３を起動し、超臨場感クライアント８５３に、「アレックス」に関する情報（例えば、ＩＤ、プレゼンス情報、等）を提供する。すると、超臨場感クライアント８５３が、「アレックス」に関する情報（例えば、ＩＤ、プレゼンス情報、等）を情報管理サーバ１８に提供する。その後、情報管理サーバ１８は、「アレックス」に関するプレゼンス情報に基づいて、カメラ１１を選択する。当該プレゼンス情報に対応する複数のカメラ１１がある場合には、いずれかの代表的なカメラ（以下、「代表カメラ」と呼ぶ）が選択される。そして、超臨場感クライアント８５３は、選択されたカメラ１１を通じて生成される撮像画像を取得する。なお、上記プレゼンス情報は、例えば、人物の位置を示す情報（例えば、会議室、ワークスペース、等）である。例えば、当該プレゼンス情報は、ＰＢＸ４０に提供され、ＰＢＸ４０から取得される。
【０１９６】
図２４は、代表カメラの例を説明するための説明図である。図２４を参照すると、会議室１２１０及びワークスペース１２２０の各々において配置されるカメラ１１が示されている。例えば、プレゼンス情報が「会議室」である場合の代表カメラとして、カメラ１１Ｃが予め定められる。また、例えば、プレゼンス情報が「ワークスペース」である場合の代表カメラとして、カメラ１１Ｄが予め定められる。このように、例えば、会議室又はワークスペースの中の広い範囲を撮像可能なカメラ１１が、代表カメラとして予め定められる。
【０１９７】
なお、プレゼンス情報は、電話帳において表示されてもよい。図２５は、プレゼンス情報を含む電話帳の表示画面の例を説明するための説明図である。図２５を参照すると、電話帳の表示画面１１３０が示されている。この例では、連絡先１１３１Ａ及び連絡先１１３１Ｄの各々は、プレゼンス情報を含む。例えば、連絡先１１３１Ａは、「荒川」のプレゼンス情報として「会議室」を含む。また、連絡先１１３１Ｂは、「アレックス」のプレゼンス情報として「ワークスペース」を含む。
【０１９８】
＜＜３．処理の流れ＞＞
次に、図２６及び図２７を参照して、本実施形態に係る情報処理の例を説明する。
【０１９９】
（端末装置における情報処理の例）
図２６は、本実施形態に係る端末装置１００における情報処理の一例を説明するための説明図である。
【０２００】
ステップＳ３０１で、表示制御部１８５は、表示部１５０に、実空間（センタオフィス１０）の撮像画像を含む表示画面を表示させる。
【０２０１】
ステップＳ３０３で、位置取得部１８１は、上記表示画面においてユーザにより上記撮像画像内の位置が指定されたかを判定する。当該位置が指定された場合には、処理はステップＳ３０５へ進む。そうでなければ、処理はステップＳ３０１を繰り返す。
【０２０２】
ステップＳ３０５で、位置取得部１８１は、ユーザにより指定された上記撮像画像内の位置（即ち、ユーザにより指定された撮像画像内の位置）を取得する。
【０２０３】
ステップＳ３０７で、オブジェクト選択部１８３は、取得された上記撮像画像内の位置（即ち、ユーザにより指定された撮像画像内の位置）に基づいて、当該撮像画像のいずれかの位置にそれぞれ対応する複数のオブジェクトの中から、１つ以上のオブジェクトを選択する。
【０２０４】
ステップＳ３０９で、表示制御部１８５は、１つ以上のオブジェクトが選択されたかを判定する。１つ以上のオブジェクトが選択されていれば、処理はステップＳ３１３へ進む。そうでなければ、処理はステップＳ３１１へ進む。
【０２０５】
ステップＳ３１１で、表示制御部１８５は、表示部１５０に、上記撮像画像内の位置をユーザに指定させるための標識（即ち、位置指定促進標識）を上記表示画面に表示させる。
【０２０６】
ステップＳ３１３で、表示制御部１８５は、２つ以上のオブジェクトが選択されたかを判定する。２つ以上のオブジェクトが選択されていれば、処理はステップＳ３１５へ進む。そうでなければ、処理はステップＳ３２３へ進む。
【０２０７】
ステップＳ３１５で、表示制御部１８５は、表示部１５０に、２つ以上のオブジェクトの各々が対応する位置を含む部分領域の拡大画像を表示させる。
【０２０８】
ステップＳ３１７で、元の表示画面への切換えがユーザにより指定されたかが判定される。より具体的には、例えば、図１２に示されるボタン画像８３の位置がユーザにより指定されたかが判定される。当該切換えが指定された場合には、処理はステップＳ３０１へ戻る。そうでなければ、処理はステップ３１９へ進む。
【０２０９】
ステップＳ３１９で、部分領域の拡大画像を含む表示画面を介していずれかのオブジェクトがユーザにより指定されたかが判定される。いずれかのオブジェクトが指定されていれば、処理はステップＳ３２１へ進む。そうでなければ、処理はステップＳ３１５へ戻る。
【０２１０】
ステップＳ３２１で、オブジェクト選択部１８３は、上記２つ以上のオブジェクトの中から、ユーザにより指定される１つのオブジェクトを選択する。そして、処理はステップＳ３３１へ進む。
【０２１１】
ステップＳ３２３で、表示制御部１８５は、表示部１５０に、１つのオブジェクトが対応する位置を含む部分領域の拡大画像を表示させる。
【０２１２】
ステップＳ３２５で、元の表示画面への切換えがユーザにより指定されたかが判定される。より具体的には、例えば、図１１に示されるボタン画像８３の位置がユーザにより指定されたかが判定される。当該切換えが指定された場合には、処理はステップＳ３０１へ戻る。そうでなければ、処理はステップ３２７へ進む。
【０２１３】
ステップＳ３２７で、部分領域の拡大画像を含む表示画面を介していずれかのオブジェクトがユーザにより指定されたかが判定される。いずれかのオブジェクトが指定されていれば、処理はステップＳ３２９へ進む。そうでなければ、処理はステップＳ３２３へ戻る。
【０２１４】
ステップＳ３２９で、オブジェクト選択部１８３は、上記１つのオブジェクトを選択する。そして、処理はステップＳ３３１へ進む。
【０２１５】
ステップＳ３３１で、通信用ＩＤ取得部１８７は、選択された１つのオブジェクトに対応する通信用ＩＤを取得する。
【０２１６】
ステップＳ３３３で、電話部１８９は、取得された通信用ＩＤを用いて電話発信を行う。そして、処理は終了する。
【０２１７】
（撮像画像の取得までの情報処理の例）
図２７は、プレゼンス情報に従った撮像画像の提供及び取得のための情報処理の一例を説明するための説明図である。
【０２１８】
ステップＳ４０１で、端末装置１００は、自装置のユーザに関するプレゼンス情報をＰＢＸ４０に提供する。
【０２１９】
ステップＳ４０３で、端末装置１００は、所望の人物（オブジェクト）に対応する通信用ＩＤをＰＢＸ４０に提供する。すると、ステップＳ４０４で、ＰＢＸ４０は、当該所望の人物（オブジェクト）に関するプレゼンス情報を端末装置１００に提供する。
【０２２０】
ステップＳ４０７で、端末装置１００は、上記所望の人物（オブジェクト）に関するプレゼンス情報を情報管理サーバ１８に提供する。すると、ステップＳ４０９で、情報管理サーバ１８は、当該プレゼンス情報に基づいてカメラ１１を選択し、選択されたカメラ１１に関する情報（カメラ情報）を端末装置１００に提供する。
【０２２１】
ステップＳ４１１で、端末装置１００は、カメラ情報をメディア配信サーバ１７に提供する。すると、ステップＳ４１３で、メディア配信サーバ１７は、カメラ情報から選択されたカメラ１１を認識し、選択されたカメラ１１を通じて生成される撮像画像を端末装置１００に提供する。
【０２２２】
＜＜４．変形例＞＞
続いて、図２８〜図３２を参照して、本実施形態の変形例を説明する。
【０２２３】
＜４．１．第１の変形例＞
まず、図２８を参照して、本実施形態の第１の変形例を説明する。上述した本実施形態の例では、撮像画像を含む表示画面において１つの位置がユーザにより指定され、当該１つの位置を含む所定の形状の領域内にある位置に対応するオブジェクトが選択される。一方、本実施形態の第１の変形例では、撮像画像を含む表示画面において２つ以上の位置がユーザにより指定され、当該２つ以上の位置に基づき形成される領域内にある位置に対応するオブジェクトが選択される。
【０２２４】
（位置取得部１８１）
−撮像画像内の位置の取得
位置取得部１８１は、実空間の撮像画像を含む表示画面においてユーザにより指定される上記撮像画像内の位置を取得する。
【０２２５】
とりわけ本実施形態の第１の変形例では、位置取得部１８１は、上記表示画面においてユーザにより指定される上記撮像画像内の２つ以上の位置を取得する。即ち、２つ以上の位置がユーザにより指定される。
【０２２６】
より具体的には、例えば、入力部１２０が、実空間の撮像画像の表示画面においてユーザにより指定される上記撮像画像内の２つ以上の位置を検出すると、位置取得部１８１は、当該２つ以上の位置を取得する。以下、図２８を参照して、このような撮像画像内の位置の取得の具体例を説明する。
【０２２７】
図２８は、第１の変形例に従った、表示画面に含まれる撮像画像内の位置の取得の例を説明するための説明図である。図２８を参照すると、表示部１５０により表示される表示画面６０が示されている。また、表示画面６０は、実空間（センタオフィス１０）内にあるいずれかのカメラ１１を通じて生成される撮像画像６１を含む。例えば、入力部１２０が、表示画面６０においてユーザにより指定される撮像画像６１内の２つ以上の位置を含む位置集合７７を検出する。例えば、位置集合７７は、ある領域を形成する位置の集合である。そして、位置取得部１８１は、２つ以上の位置を含む位置集合７７を取得する。なお、ここでは説明のために図２８において位置集合７７が明示されているが、位置集合７７が表示画面６０において実際に表示されているわけではないということに留意すべきである。
【０２２８】
（オブジェクト選択部１８３）
−オブジェクトの選択の手法
選択される１つ以上のオブジェクトは、上記複数のオブジェクトのうちの、取得される上記２つ以上の位置に基づき形成される領域内にある位置に対応するオブジェクトである。即ち、オブジェクト選択部１８３は、上記複数のオブジェクトのうちの、取得される上記２つ以上の位置に基づき形成される領域内にある位置に対応するオブジェクトを選択する。
【０２２９】
より具体的には、例えば、図２８を再び参照すると、上記２つ以上の位置に基づき形成される領域は、図２８に示されるような位置集合７７により囲われる領域である。例えば、位置集合７７は、表示画面６０（撮像画像６１内）においてユーザにより指定される２つ以上の位置であり、入力部１２０により検出され、位置取得部１８１により取得される。一例として、位置集合７７は、ユーザによるドラッグ（スワイプ）（指を画面につけ、画面上を移動させ、画面から離す操作であって、指をつけた位置と離した位置、及び／又は移動させた指の軌道に対応する２つ以上の位置を指定する操作）に応じて検出される位置の集合である。そして、位置集合７７により囲われる領域内の位置に対応するオブジェクトが、オブジェクト選択部１８３により選択される。
【０２３０】
なお、上記２つ以上の位置に基づき形成される領域は、ユーザによるドラッグに応じて検出される位置（位置集合７７）に囲われる領域に限られない。当該領域は、ユーザによるタップ（１本以上の指を画面につけ、画面から離す操作であって、指の位置で位置を指定する操作）、ピンチアウト（２本以上の指を画面につけ、当該２本以上の指の間隔を広げ、当該２本以上の指を離す操作であって、指を離したときの２本以上の指の位置で２つ以上の位置を指定する操作）、及びピンチイン（２本以上の指を画面につけ、当該２本以上の指の間隔を狭め、当該２本以上の指を離す操作であって、指を離したときの２本以上の指の位置で２つ以上の位置を指定する操作）等のいずれかの（タッチ）操作手法に対応する領域であってもよい。一例として、上記２つ以上の位置に基づき形成される上記領域は、ピンチアウト又はピンチインに応じて検出される位置（例えば、指を離したときの２本以上の指の位置）を含む図形（円、矩形、等）により囲われる領域であってもよい。
【０２３１】
また、所定の期間（例えば、２秒間）に、位置取得部１８１により取得される位置（入力部１２０により検出される位置）が、用いられてもよい。そして、当該所定の期間に取得される位置により形成される領域内にある位置に対応するオブジェクトが選択されてもよい。一例として、上記領域は、上記所定の期間における複数の操作（例えば、ドラック、ピンチアウト及び／又はピンチイン、等）に対応する領域であってもよい。具体例を挙げると、表示画面６０（撮像画像６１内）において、ユーザが、２本の指で１回タップし、１回目のタップと相違する位置で１本の指で１回タップし、さらに２本の指でピンチアウトする。この場合に、１回目のタップ（ユーザによる位置の指定の開始）を契機に、所定の検出期間内の操作（２回のタップとピンチアウト）に対応する領域が形成される。このようにすることで、ユーザは、多様な操作の組合せでオブジェクトを選択することができるようになる。
【０２３２】
また、制御部１８０は、ユーザにより指定される位置から、タップ、ドラッグ、ピンチアウト及びピンチイン等のいずかの（タッチ）操作手法を認識する操作認識部を有してもよい。また、この操作認識部は、端末装置１００の状態（タッチ検出面８２１、表示面８２３及び撮像画像６１等のサイズ、並びに／又は、アプリケーションソフトウェア）に応じて、対応する操作手法（例えば、タップ、ドラッグ、ピンチアウト及びピンチインのいずれかまたはそれらの組み合わせ）を決定してもよい。
【０２３３】
第１の例として、端末装置１００における撮像画像６１が所定のサイズ（例えば所定Ｃｍ、所定ｉｎｃｈ及び所定解像度）以上の場合、操作認識部は、対応する操作手法をタップ、ドラッグ、ピンチアウト及びピンチインと決定してもよい。他方、端末装置１００における撮像画像６１が所定のサイズ以下の場合、操作認識部は、対応する操作方法をタップ及びドラッグと決定してもよい。
【０２３４】
第２の例として、端末装置１００における表示面８２３とタッチ検出面８２１との比率（表示面８２３の大きさ（サイズ）を１００％としたときのタッチ検出面８２１の大きさ（サイズ））が７０％以上の場合、操作認識部は、対応する操作方法をタップ、ドラッグ、ピンチアウト及びピンチインと決定してもよい。他方、端末装置１００における表示面８２３とタッチ検出面８２１との比率が７０％以下の場合、操作認識部は、対応する操作手法をタップと決定してもよい。
【０２３５】
第３の例として、端末装置１００においてアプリケーションソフトウェアＡＡＡ（図１９に示されていないアプリケーションソフトウェア）が起動されている場合、操作認識部は、対応する操作方法をタップ及びドラッグと決定してもよい。他方、端末装置１００においてアプリケーションソフトウェアＢＢＢ（図１９に示されていないアプリケーションソフトウェア）が起動されている場合、操作認識部は、対応する操作方法をピンチアウト及びピンチインと決定してもよい。
【０２３６】
さらに、対応する操作手法が決定されるとともに、対応する操作手法に係る情報が撮像画像６１に重畳して表示されてもよい。具体的には、例えば、操作認識部が、対応する操作方法をドラッグと決定すると、撮像画像６１内（の例えば４隅のいずれか）にドラッグを示すアイコン等の情報が、重畳表示されてもよい。これにより、ユーザは、多様なタッチに対応するタッチパネルにおいて、適切なタッチにより位置（位置集合７７）の指定ができるようになる。
【０２３７】
以上、本実施形態の第１の変形例を説明した。本実施形態の第１の変形例によれば、ユーザは、より直感的な操作でオブジェクトを選択することが可能になる。即ち、より直感的な操作で所望の人物にコンタクトすることが可能になる。
【０２３８】
＜４．２．第２の変形例＞
次に、本実施形態の第２の変形例を説明する。上述した本実施形態の例では、ユーザが撮像画像内の位置を指定すると、複数のオブジェクトの中から２つ以上のオブジェクトが選択される。そして、選択されたオブジェクトが対応する位置を含む部分領域が拡大された拡大画像（即ち、オブジェクトごとの拡大画像）が表示される。とりわけ、本実施形態の第２の変形例では、部分領域ごとの拡大率で拡大された拡大画像が表示される。
【０２３９】
（表示制御部１８５）
−撮像画像内の位置をユーザが指定した後の表示画面
−−第２のケース：２つ以上のオブジェクトが選択されるケース
例えば、ユーザが撮像画像内の位置を指定すると、上記複数のオブジェクトの中から２つ以上のオブジェクトが選択される。そして、表示制御部１８５は、表示部１５０に、上記第１のオブジェクトが対応する位置を含む撮像画像内の第１の部分領域の画像と、上記第２のオブジェクトが対応する位置を含む撮像画像内の第２の部分領域の画像とを表示させる。
【０２４０】
例えば、上記第１の部分領域の上記像は、上記１の部分領域が拡大された拡大画像である。また、上記第２の部分領域の上記画像は、上記第２の部分領域が拡大された拡大画像である。
【０２４１】
とりわけ本実施形態の第２の変形例では、上記第１部分領域の上記画像は、上記第１の部分領域が第１の拡大率で拡大された拡大画像である。また、上記第２部分領域の上記画像は、上記第２の部分領域が第２の拡大率で拡大された拡大画像である。即ち、オブジェクトごとに、別々の拡大率の拡大画像が表示される。
【０２４２】
以上、本実施形態の第２の変形例を説明した。本実施形態の第２の変形例によれば、撮像画像に写る人物によって、当該撮像画像内における大きさが異なる場合であっても、ユーザはコンタクト先の人物を容易に識別することが可能になる。
【０２４３】
＜４．３．第３の変形例＞
次に、図２９〜図３１を参照して、本実施形態の第３の変形例を説明する。上述した本実施形態の例では、ユーザが撮像画像内の位置を指定すると、複数のオブジェクトの中から２つ以上のオブジェクトが選択される。そして、選択されたオブジェクトが対応する位置を含む部分領域の画像が表示される。とりわけ、本実施形態の第３の変形例では、上記部分領域の画像と当該画像以外の領域との間の境界を示す境界標識が表示される。
【０２４４】
（表示制御部１８５）
−撮像画像内の位置をユーザが指定した後の表示画面
−−第２のケース：２つ以上のオブジェクトが選択されるケース
例えば、ユーザが撮像画像内の位置を指定すると、上記複数のオブジェクトの中から２つ以上のオブジェクトが選択される。そして、表示制御部１８５は、表示部１５０に、上記第１のオブジェクトが対応する位置を含む撮像画像内の第１の部分領域の画像と、上記第２のオブジェクトが対応する位置を含む撮像画像内の第２の部分領域の画像とを表示させる。
【０２４５】
とりわけ本実施形態の第３の変形例では、表示制御部１８５は、表示部１５０に、上記第１の部分領域の上記画像と上記画像以外の領域との間の境界を示す第１の境界標識と、上記第２の部分領域の上記画像と当該画像以外の領域との間の境界を示す第２の境界標識とを表示させる。以下、この点について、図２９及び図３０を参照して具体例を説明する。
【０２４６】
図２９は、２つ以上のオブジェクトが選択される場合に第３の変形例に従って表示される表示画面の第１の例を説明するための説明図である。図２９を参照すると、図１２の例と同様に、表示画面８０には、部分領域の画像８５Ａと、部分領域の画像８５Ｂとが含まれる。そして、表示画面８０には、画像８５Ａとそれ以外の領域との間の境界を示す境界標識８８Ａと、画像８５Ｂとそれ以外の領域との間の境界を示す境界標識８８Ｂとが含まれる。この例では、境界標識８８Ａは、画像８５Ａの内部に表示され、境界標識８８Ｂは、画像８５Ｂの内部に表示される。
【０２４７】
図３０は、２つ以上のオブジェクトが選択される場合に第３の変形例に従って表示される表示画面の第２の例を説明するための説明図である。図３０を参照すると、図１２の例と同様に、表示画面８０には、部分領域の画像８５Ａと、部分領域の画像８５Ｂとが含まれる。そして、表示画面８０には、画像８５Ａとそれ以外の領域との間の境界を示す境界標識８９Ａと、画像８５Ｂとそれ以外の領域との間の境界を示す境界標識８９Ｂとが含まれる。この例では、境界標識８９Ａは、画像８５Ａの外部に表示され、境界標識８９Ｂは、画像８５Ｂの外部に表示される。
【０２４８】
なお、上記第１の境界標識は、上記第１のオブジェクトに関する情報を含み、上記第２の境界標識は、上記第２のオブジェクトに関する情報を含んでもよい。より具体的には、例えば、上記第１のオブジェクトに関する上記情報は、上記第１のオブジェクトを識別するための第１の識別情報を含み、上記第２のオブジェクトに関する上記情報は、上記第２のオブジェクトを識別するための第２の識別情報を含んでもよい。以下、この点について図３１を参照して具体例を説明する。
【０２４９】
図３１は、境界標識に含まれるオブジェクトに関する情報の例を説明するための説明図である。図３１を参照すると、図２９と同様に、表示画面８０、部分領域の画像８５Ａ、部分領域の画像８５Ｂ、境界標識８８Ａ及び境界標識８８Ｂが示されている。例えば、図３１に示されるように、境界標識８８Ａ及び境界標識８８Ｂには、人物（オブジェクト）の識別情報である名前（高橋、荒川）が含まれる。
【０２５０】
以上、本実施形態の第３の変形例を説明した。本実施形態の第３の変形例によれば、境界標識が表示される。これにより、部分領域の画像の中心を際立たせることが可能になる。即ち、ユーザは、各画像に対応するオブジェクト（例えば、人物）を認識しやすくなる。
【０２５１】
また、境界領域がオブジェクト（例えば、人物）に関する情報を含むことで、ユーザは、各画像に対応するオブジェクト（例えば、人物）をさらに認識しやすくなる。さらに、上記情報がオブジェクト（例えば、人物）の識別情報であることで、ユーザは、各画像に対応するオブジェクト（例えば、人物）を確実に認識することが可能になる。
【０２５２】
＜４．４．第４の変形例＞
次に、図３２を参照して、本実施形態の第４の変形例を説明する。上述した本実施形態の例では、上記複数のオブジェクトの中から１つ以上のオブジェクトが選択されると、選択された当該１つ以上のオブジェクトの各々に関する情報が表示される。そして、当該情報として、選択されたオブジェクトが対応する位置を含む部分領域の画像が表示される。一方、本実施形態の第４の変形例では、選択された上記１つ以上のオブジェクトの各々に関する情報として、当該１つ以上のオブジェクトの各々を識別するための識別情報が表示される。
【０２５３】
（表示制御部１８５）
【０２５４】
−撮像画像内の位置をユーザが指定した後の表示画面
−−第２のケース：２つ以上のオブジェクトが選択されるケース
例えば、ユーザが撮像画像内の位置を指定すると、上記複数のオブジェクトの中から２つ以上のオブジェクトが選択される。とりわけ本実施形態では、この場合に、表示制御部１８５は、表示部１５０に、上記２つ以上のオブジェクトの各々に関する情報を表示させる。
【０２５５】
とりわけ本実施形態の第４の変形例では、上記２つ以上のオブジェクトの各々に関する上記情報は、当該２つ以上のオブジェクトの各々を識別するための識別情報を含む。以下、この点について図３２を参照して具体例を説明する。
【０２５６】
図３２は、２つ以上のオブジェクトが選択される場合に第４の変形例に従って表示される表示画面の一例を説明するための説明図である。図３２を参照すると、図３２を参照すると、表示画面６０が示されている。また、表示画面６０には、実空間の撮像画像６１が含まれる。そして、表示画面６０には、選択された２人の人物（２つのオブジェクト）の各々を識別するための識別情報９９Ａ及び識別情報９９Ｂも含まれる。この例では、識別情報９９Ａ及び識別情報９９Ｂは、人物（オブジェクト）の識別情報である名前（高橋、荒川）である。一例として、ユーザは、このような識別情報９９Ａ及び識別情報９９Ｂのうちの一方の識別情報のいずれかの位置を指定することにより、当該一方の識別情報に対応する人物（オブジェクト）を指定する。そして、ユーザにより指定された１人の人物（１つのオブジェクト）が選択される。
【０２５７】
以上、本実施形態の第４の変形例を説明した。本実施形態の第４の変形例によれば、簡単な表示処理によってより容易に所望の人物にコンタクトすることが可能になる。
【０２５８】
以上、添付図面を参照しながら本発明の好適な実施形態を説明したが、本発明は係る例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【０２５９】
例えば、２つ以上のオブジェクトが選択されるケースとして、２つのオブジェクトが選択される例を説明したが、本発明はこれに限定されない。３つ以上のオブジェクトが選択され、選択された当該３つ以上のオブジェクトに関する情報が表示されてもよい。
【０２６０】
また、２つ以上のオブジェクトが選択される例を説明した。即ち、選択されるオブジェクトの数に制限がない例を説明したが、本発明はこれに限定されない。例えば、選択されるオブジェクトの個数に上限が設けられてもよい。一例として、最大で２つのオブジェクトが選択されてもよい。これにより、３つ以上のオブジェクトが選択される場合よりも、より素早く容易にオブジェクトを指定することが可能になる。また、別の例として、最大で３つのオブジェクトが選択されてもよい。人間が３つ以下の物事をより容易に処理し、記憶することができることを考慮すると、これにより、より多くのオブジェクトに関する情報を表示しつつも、より素早く容易にオブジェクトを指定することが可能になる。
【０２６１】
また、通信用ＩＤが電話番号である例を説明したが、本発明はこれに限定されない。通信用ＩＤは、電話番号以外のＩＤであってもよい。一例として、通信用ＩＤは、電話番号以外のソフトフォン用ＩＤであってもよい。また、別の例として、通信用ＩＤは、電話以外の通信のためのＩＤであってもよい。例えば、通信用ＩＤは、メールアドレスであってもよく、又はショートメッセージ用のＩＤであってもよい。この場合に、通信用ＩＤを用いて、メールが送信され、又はショートメッセージが送信されてもよい。
【０２６２】
また、表示画面において撮像画像の位置がユーザによるタッチで指定される例を説明したが、本発明はこれに限定されない。例えば、撮像画像の位置は、タッチパネル以外の入力手段を用いてユーザにより指定されてもよい。例えば、撮像画像の位置は、マウスによるクリックで指定されてもよく、ボタン、キーボード等の別の入力手段を用いて指定されてもよい。
【０２６３】
また、撮像画像のいずれかの位置に対応するオブジェクトが人物（又は人物に関する情報）である例を説明したが、本発明はこれに限定されない。例えば、オブジェクトは、通信装置（又は通信装置に関する情報）であってもよい。一例として、当該通信装置は電話機であってもよい。
【０２６４】
また、カメラにより生成される撮像画像、マイクロフォンにより生成される音声データ、及び、センサによる判定結果が、メディア配信サーバを介して提供される例を説明したが、本発明はこれに限定されない。一例として、これらのデータは、メディア配信サーバの代わりに別の装置を介して提供されてもよい。また、別の例として、これらのデータは、カメラ、マイクロフォン及びセンサにより、端末装置に直接提供されてもよい。
【０２６５】
また、位置取得部、オブジェクト選択部、表示制御部、通信用ＩＤ取得部及び電話部が端末装置により備えられる例を説明したが、本発明はこれに限定されない。例えば、これらの機能は、端末装置以外の装置により備えられてもよい。一例として、これらの機能はいずれかのサーバにより備えられてもよい。
【０２６６】
また、位置取得部、オブジェクト選択部、表示制御部、通信用ＩＤ取得部及び電話部が同一の装置（端末装置）に備えられる例を説明したが、本発明はこれに限定されない。位置取得部、オブジェクト選択部及び表示制御部と、通信用ＩＤ取得部及び電話部とが、別々の装置により備えられてもよい。一例として、位置取得部、オブジェクト選択部及び表示制御部が、いずれかのサーバ、又は、サテライトオフィスに設置されたディスプレイにより備えられ、通信用ＩＤ取得部及び電話部が端末装置により備えられてもよい。
【０２６７】
また、実空間の撮像画像の表示画面が端末装置により表示される例を説明したが、本発明はこれに限定されない。例えば、当該表示画面は別の装置により表示されてもよい。一例として、上記表示画面はサテライトオフィスに設置されたディスプレイにより表示されてもよい。そして、ユーザが、当該ディスプレイにおいて、表示画像に含まれる撮像画像の位置を指定してもよい。
【０２６８】
また、本明細書の情報処理における処理ステップは、必ずしもフローチャートに記載された順序に沿って時系列に実行されなくてよい。例えば、情報処理における処理ステップは、フローチャートとして記載した順序と異なる順序で実行されても、並列的に実行されてもよい。
【０２６９】
また、情報処理装置（例えば、端末装置）に内蔵されるＣＰＵ、ＲＯＭ及びＲＡＭ等のハードウェアに、上記情報処理装置の各構成と同等の機能を発揮させるためのコンピュータプログラムも作成可能である。また、当該コンピュータプログラムを記憶させた記憶媒体も提供される。
【符号の説明】
【０２７０】
１１        カメラ
１３        マイクロフォン
１５        センサ
１７        メディア配信サーバ
１８        情報管理サーバ
１９、２３  ＬＡＮ（Local  Area  Network）
２１        ディスプレイ
３０        外部ネットワーク
４０        ＰＢＸ（Private  Branch  eXchange）
６０、８０  表示画面
６１        撮像画像
７１        ユーザにより指定される位置
７３        オブジェクトが対応する位置
８５        部分領域の画像（拡大画像）
９９        識別情報
１００      端末装置
１８１      位置取得部
１８３      オブジェクト選択部
１８５      表示制御部
【図１】
2014204412.tif 000003
【図２】
2014204412.tif 000004
【図３】
2014204412.tif 000005
【図４】
2014204412.tif 000006
【図５】
2014204412.tif 000007
【図６】
2014204412.tif 000008
【図７】
2014204412.tif 000009
【図８】
2014204412.tif 000010
【図９】
2014204412.tif 000011
【図１０】
2014204412.tif 000012
【図１１】
2014204412.tif 000013
【図１２】
2014204412.tif 000014
【図１３】
2014204412.tif 000015
【図１４Ａ】
2014204412.tif 000016
【図１４Ｂ】
2014204412.tif 000017
【図１５】
2014204412.tif 000018
【図１６】
2014204412.tif 000019
【図１７】
2014204412.tif 000020
【図１８】
2014204412.tif 000021
【図１９】
2014204412.tif 000022
【図２０】
2014204412.tif 000023
【図２１】
2014204412.tif 000024
【図２２】
2014204412.tif 000025
【図２３】
2014204412.tif 000026
【図２４】
2014204412.tif 000027
【図２５】
2014204412.tif 000028
【図２６】
2014204412.tif 000029
【図２７】
2014204412.tif 000030
【図２８】
2014204412.tif 000031
【図２９】
2014204412.tif 000032
【図３０】
2014204412.tif 000033
【図３１】
2014204412.tif 000034
【図３２】
2014204412.tif 000035